(57)【要約】      （修正有）【課題】電子機器の利便性を向上することが可能な電子機器、制御プログラム及び表示制御方法を提供する。【解決手段】電子機器１は、電子機器の表面に位置する情報表示領域と制御部２００とを備える。制御部は、情報表示領域に含まれる複数の表示領域のそれぞれの表示を独立して制御する。制御部は、複数の表示領域に含まれる、第１画面を表示する第１表示領域を非表示状態にすることに応じて、第１画面に関する情報を複数の表示領域に含まれる第２表示領域に表示する。【選択図】図４６
2020035065.tif 000002
【特許請求の範囲】
【請求項１】
電子機器であって、
前記電子機器の表面に位置する情報表示領域と、
前記情報表示領域に含まれる複数の表示領域のそれぞれの表示を独立して制御する制御部と
を備え、
前記制御部は、前記複数の表示領域に含まれる、第１画面を表示する第１表示領域を非表示状態にすることに応じて、当該第１画面に関する情報を前記複数の表示領域に含まれる第２表示領域に表示する、電子機器。
【請求項２】
請求項１に記載の電子機器であって、
前記情報は図形及び文字の少なくとも一方を含む、電子機器。
【請求項３】
請求項１及び請求項２のいずれか一つに記載の電子機器であって、
前記情報は前記第１画面の一部を含む、電子機器。
【請求項４】
請求項１から請求項３のいずれか一つに記載の電子機器であって、
前記制御部は、前記第１画面を表示する前記第１表示領域を非表示状態にすることに応じて、前記情報を、前記第２表示領域と、前記複数の表示領域に含まれる第３表示領域とに表示する、電子機器。
【請求項５】
請求項２から請求項４のいずれか一つに記載の電子機器であって、
前記制御部は、前記情報を表示している前記第２表示領域に対する所定操作が行われると、前記複数の表示領域に含まれる第４表示領域に前記第１画面を表示する、電子機器。
【請求項６】
請求項４に記載の電子機器であって、
前記制御部は、
前記情報を表示している前記第２表示領域に対して第１操作が行われると、前記複数の表示領域に含まれる第４表示領域に前記第１画面を表示し、
前記情報を表示している前記第３表示領域に対して第２操作が行われると、前記第４表示領域に前記第１画面を表示する、電子機器。
【請求項７】
請求項１から請求項６のいずれか一つに記載の電子機器であって、
前記制御部は、前記情報表示領域に対する物体の接触あるいは近接の状況に基づいて、前記複数の表示領域から非表示状態にする表示領域を決定する、電子機器。
【請求項８】
請求項１から請求項４のいずれか一つに記載の電子機器であって、
前記制御部は、前記複数の表示領域に含まれるある表示領域に第２画面を表示している場合、前記複数の表示領域に含まれる、当該ある表示領域とは別の表示領域に対して所定操作が行われると、当該別の表示領域に対応付けられた第３画面を、当該第２画面の替わりに当該ある表示領域に表示する、電子機器。
【請求項９】
請求項１から請求項８のいずれか一つに記載の電子機器であって、
前記電子機器の前記表面は、互いに対向する一対の第１の面と、互いに対向する一対の第２の面とを含み、
前記複数の表示領域は、前記一対の第１の面及び前記一対の第２の面から成る複数の面にそれぞれ位置する、電子機器。
【請求項１０】
請求項１から請求項８のいずれか一つに記載の電子機器であって、
前記情報表示領域は筒状曲面を成し、
前記複数の表示領域は前記筒状曲面の周方向に並ぶ、電子機器。
【請求項１１】
電子機器を制御するための制御プログラムであって、
前記電子機器の表面に位置する情報表示領域に含まれる第１表示領域に画面を表示する第１処理と、
前記画面を表示する前記第１表示領域を非表示状態にすることに応じて、当該画面に関する情報を前記情報表示領域に含まれる第２表示領域に表示する第２処理と
を、前記電子機器に実行させるための制御プログラム。
【請求項１２】
電子機器での表示制御方法であって、
前記電子機器の表面に位置する情報表示領域に含まれる第１表示領域に画面を表示し、
前記画面を表示する前記第１表示領域を非表示状態にすることに応じて、当該画面に関する情報を前記情報表示領域に含まれる第２表示領域に表示する、表示制御方法。
【発明の詳細な説明】
【技術分野】
【０００１】
本開示は、電子機器に関する。
【背景技術】
【０００２】
特許文献１及び２に記載されているように、電子機器に関して様々な技術が提案されている。
【先行技術文献】
【特許文献】
【０００３】
【特許文献１】特開２０１４−２２２８１１号公報
【特許文献２】特許第５８５７２５７号公報
【発明の概要】
【発明が解決しようとする課題】
【０００４】
電子機器については、その利便性の向上が望まれている。
【０００５】
そこで、本発明は上述の点に鑑みて成されたものであり、電子機器の利便性を向上することが可能な技術を提供することを目的とする。
【課題を解決するための手段】
【０００６】
電子機器、制御プログラム及び表示制御方法が開示される。一の実施の形態では、電子機器は、当該電子機器の表面に位置する情報表示領域と制御部とを備える。制御部は、情報表示領域に含まれる複数の表示領域のそれぞれの表示を独立して制御する。制御部は、複数の表示領域に含まれる、第１画面を表示する第１表示領域を非表示状態にすることに応じて、当該第１画面に関する情報を複数の表示領域に含まれる第２表示領域に表示する。
【０００７】
また、一の実施の形態では、制御プログラムは、電子機器を制御するための制御プログラムである。制御プログラムは、電子機器の表面に位置する情報表示領域に含まれる第１表示領域に画面を表示する第１処理と、画面を表示する第１表示領域を非表示状態にすることに応じて、当該画面に関する情報を情報表示領域に含まれる第２表示領域に表示する第２処理とを電子機器に実行させるためのものである。
【０００８】
また、一の実施の形態では、表示制御方法は、電子機器での表示制御方法である。表示制御方法は、電子機器の表面に位置する情報表示領域に含まれる第１表示領域に画面を表示し、画面を表示する第１表示領域を非表示状態にすることに応じて、当該画面に関する情報を情報表示領域に含まれる第２表示領域に表示する。
【発明の効果】
【０００９】
電子機器の利便性が向上する。
【図面の簡単な説明】
【００１０】
【図１】電子機器の外観の一例を示す斜視図である。
【図２】電子機器の外観の一例を示す斜視図である。
【図３】電子機器の外観の一例を示す斜視図である。
【図４】電子機器の外観の一例を示す平面図である。
【図５】電子機器の外観の一例を示す斜視図である。
【図６】電子機器の構成の一例を示すブロック図である。
【図７】電子機器の動作の一例を示すフローチャートである。
【図８】電子機器がユーザの手に持たれている様子の一例を示す図である。
【図９】電子機器の外観の一例を示す平面図である。
【図１０】電子機器の外観の一例を示す斜視図である。
【図１１】電子機器の外観の一例を示す斜視図である。
【図１２】電子機器がユーザに身につけられている様子の一例を示す図である。
【図１３】電子機器の外観の一例を示す平面図である。
【図１４】電子機器の外観の一例を示す平面図である。
【図１５】電子機器がユーザに身につけられている様子の一例を示す図である。
【図１６】電子機器がユーザに身につけられている様子の一例を示す図である。
【図１７】電子機器が回転する場合の回転軸の一例を示す図である。
【図１８】電子機器が回転する場合の回転軸の一例を示す図である。
【図１９】電子機器の回転の一例を示す図である。
【図２０】電子機器の回転の一例を示す図である。
【図２１】電子機器が表示するページの一例を示す図である。
【図２２】電子機器の表示例を示す図である。
【図２３】電子機器の表示例を示す図である。
【図２４】電子機器の表示例を示す図である。
【図２５】電子機器の表示例を示す図である。
【図２６】電子機器の表示例を示す図である。
【図２７】電子機器の表示例を示す図である。
【図２８】電子機器が表示する画面の一例を示す図である。
【図２９】電子機器の表示例を示す図である。
【図３０】電子機器の表示例を示す図である。
【図３１】電子機器の表示例を示す図である。
【図３２】電子機器の表示例を示す図である。
【図３３】電子機器の表示例を示す図である。
【図３４】電子機器の表示例を示す図である。
【図３５】電子機器の動作の一例を説明するための図である。
【図３６】電子機器の動作の一例を説明するための図である。
【図３７】電子機器の動作の一例を説明するための図である。
【図３８】電子機器の動作の一例を説明するための図である。
【図３９】電子機器の表示例を示す図である。
【図４０】電子機器の表示例を示す図である。
【図４１】電子機器の表示例を示す図である。
【図４２】電子機器の表示例を示す図である。
【図４３】電子機器の表示例を示す図である。
【図４４】電子機器の外観の一例を示す斜視図である。
【図４５】電子機器の外観の一例を示す斜視図である。
【図４６】電子機器の構成の一例を示すブロック図である。
【図４７】電子機器の表示例を示す図である。
【図４８】電子機器の表示例を示す図である。
【図４９】電子機器の動作の一例を説明するための図である。
【図５０】電子機器の外観の一例を示す斜視図である。
【図５１】情報表示領域の一例を示す図である。
【図５２】電子機器の動作の一例を示すフローチャートである。
【図５３】電子機器がユーザの手に持たれている様子の一例を示す図である。
【図５４】電子機器が机の上に置かれている様子の一例を示す図である。
【図５５】電子機器の周方向の回転を示す図である。
【図５６】電子機器の表示例を示す図である。
【図５７】電子機器の表示例を示す図である。
【図５８】電子機器の表示例を示す図である。
【図５９】電子機器の表示例を示す図である。
【図６０】電子機器の表示例を示す図である。
【図６１】電子機器の表示例を示す図である。
【図６２】電子機器の表示例を示す図である。
【図６３】電子機器の動作の一例を説明するための図である。
【発明を実施するための形態】
【００１１】
＜電子機器の外観の一例＞
図１及び２は電子機器１の外観の一例を示す斜視図である。電子機器１は、例えばスマートフォン等の携帯電話機である。図１には、電子機器１が備える筐体１０の第１主面１０１側から見た場合の電子機器１が示されている。図２には、筐体１０の第２主面１０２側から見た場合の電子機器１が示されている。
【００１２】
図１及び２に示されるように、電子機器１は、平面視で略長方形の板状の筐体１０を備えている。筐体１０は電子機器１の外装を成す。筐体１０の表面は、互いに対向する一対の第１主面１０１及び第２主面１０２と、互いに対向する一対の第１側面１１１及び第２側面１１２と、互いに対向する一対の第３側面１１３及び第４側面１１４とを備える。以後、筐体１０の第１主面１０１、第２主面１０２、第１側面１１１、第２側面１１２、第３側面１１３及び第４側面１１４を、それぞれ、電子機器１の第１主面１０１、第２主面１０２、第１側面１１１、第２側面１１２、第３側面１１３及び第４側面１１４と呼ぶことがある。
【００１３】
筐体１０の表面には、文字、記号及び図形等の各種情報が表示される情報表示領域２０が位置する。情報表示領域２０は表示面２１及び２２を備える。表示面２１及び２２のそれぞれは表示領域であると言える。表示面２１は第１主面１０１に位置し、表示面２２は第２主面１０２に位置する。表示面２１及び２２のそれぞれの外形は、例えば長方形を成している。以後、表示面２１及び２２を特に区別する必要が無い場合には、それぞれを表示面あるいは表示領域と呼ぶことがある。
【００１４】
第１主面１０１における第１側面１１１側の端部には、レシーバ穴３０、近接センサ３５０及び照度センサ３６０が位置している。第１主面１０１の第１側面１１１側の端部からは、後述するカメラ２８０が有するレンズ３３が視認可能となっている。電子機器１の第２側面１１２には、スピーカ穴３１及びマイク穴３２が位置している。
【００１５】
図２に示されるように、筐体１０の第４側面１１４には、電源ボタン４０が位置している。電源ボタン４０は例えばハードウェアボタンである。電子機器１は、筐体１０から露出する、電源ボタン４０以外のハードウェアボタンを備えてもよい。
【００１６】
なお、電子機器１は開閉可能であってもよい。図３〜５は開閉可能な電子機器１の一例の外観を示す図である。本例に係る電子機器１の外観は、閉じた状態である閉状態、開いた状態である開状態及び途中まで開いた状態である開閉途中状態の３種類の状態をとることができる。図３には、閉状態の電子機器１の斜視図が示されている。図４には、開状態の電子機器１の平面図が示されている。図５には、開閉途中状態の電子機器１の斜視図が示されている。図３に示される閉状態の電子機器１は、図１及び２に示される電子機器１と同様の外観を有している。
【００１７】
図３〜５に示される電子機器１の筐体１０は、第１筐体１５１及び第２筐体１５２を備える。第１筐体１５１及び第２筐体１５２のそれぞれは、例えば、平面視で略長方形の板状を成している。第１筐体１５１及び第２筐体１５２は、閉状態の電子機器１の第３側面１１３（図３参照）においてヒンジで接続されている。第１筐体１５１の厚みは、例えば、第２筐体１５２の厚みよりも大きくなっている。
【００１８】
第１筐体１５１の表面は、互いに対向する一対の第１主面１５１ａ及び第２主面１５１ｂを有する。第２筐体１５２の表面は、互いに対向する一対の第１主面１５２ａ及び第２主面１５２ｂを有する。表示面２１は、第１筐体１５１の第１主面１５１ａに位置する。表示面２２は、第２筐体１５２の第１主面１５２ａに位置する。
【００１９】
図３に示されるように、閉状態の電子機器１では、第１筐体１５１の第２主面１５１ｂと第２筐体１５２の第２主面１５２ｂとが互いに接するように、第１筐体１５１と第２筐体１５２とが互いに重なっている。閉状態の電子機器１では、第１筐体１５１の第１主面１５１ａが、図１及び２に示される電子機器１の第１主面１０１となる。また、閉状態の電子機器１では、第２筐体１５２の第１主面１５２ａが、図１及び２に示される電子機器１の第２主面１０２となる。
【００２０】
図４に示されるように、開状態の電子機器１では、第１筐体１５１の第１主面１５１ａと、第２筐体１５２の第１主面１５２ａとが略同一平面上に位置するように、第１筐体１５１と第２筐体１５２とが横に並べられる。これにより、表示面２１及び２２が略同一平面上に位置するようになる。
【００２１】
図５に示されるように、開閉途中状態の電子機器１では、第１筐体１５１の第１主面１５１ａと第２筐体１５２の第１主面１５２ａとが所定の角度を成すように、電子機器１が途中まで開けられている。開閉途中状態の電子機器１は、開いている部分を下側にして、第１筐体１５１及び第２筐体１５２が立つように机等に置かれることができる。机等に置かれた開閉途中状態の電子機器１の表示面２１及び２２を、二人のユーザが反対方向からそれぞれ見ることができる。
【００２２】
なお、本明細書では、携帯電話機である電子機器１について主に説明するが、電子機器１は、携帯電話機とは別の種類の電子機器であってよい。電子機器１は、例えば、タブレット端末、パーソナルコンピュータ、ウェアラブル機器などであってよい。電子機器１として採用されるウェアラブル機器は、リストバンド型あるいは腕時計型などの腕に装着するタイプであってもよいし、ヘッドバンド型あるいはメガネ型などの頭に装着するタイプであってもよいし、服型などの体に装着するタイプであってもよい。
【００２３】
＜電子機器の電気的構成の一例＞
図６は電子機器１の電気的構成の一例を主に示すブロック図である。図６に示されるように、電子機器１は、制御部２００、表示部２１０、表示部２２０、無線通信部２３０、レシーバ２５０、スピーカ２６０、マイク２７０及びカメラ２８０を備える。さらに電子機器１は、タッチセンサ３１０、タッチセンサ３２０、加速度センサ３３０、ジャイロセンサ３４０、近接センサ３５０、照度センサ３６０、電源ボタン４０及び電池３８０を備える。電子機器１が備えるこれらの構成要素は筐体１０内に収められている。
【００２４】
制御部２００は、電子機器１の他の構成要素を制御することによって、電子機器１の動作を統括的に管理することが可能である。制御部２００は制御装置あるいは制御回路とも言える。制御部２００は、以下にさらに詳細に述べられるように、種々の機能を実行するための制御及び処理能力を提供するために、少なくとも１つのプロセッサを含む。
【００２５】
種々の実施形態によれば、少なくとも１つのプロセッサは、単一の集積回路（ＩＣ）として、または複数の通信可能に接続された集積回路（ＩＣ）及び／またはディスクリート回路（discrete circuits）として実行されてもよい。少なくとも１つのプロセッサは、種々の既知の技術に従って実行されることが可能である。
【００２６】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。
【００２７】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、または他の既知のデバイス及び構成の組み合わせを含み、以下に説明される機能を実行してもよい。
【００２８】
本例では、制御部２００は、ＣＰＵ（Central Processing Unit）２０１、ＤＳＰ（Digital Signal Processor）２０２及び記憶部２０３を備える。記憶部２０３は、ＲＯＭ（Read Only Memory）及びＲＡＭ（Random Access Memory）などの、ＣＰＵ２０１及びＤＳＰ２０２が読み取り可能な非一時的な記録媒体を含む。記憶部２０３が有するＲＯＭは、例えば、不揮発性メモリであるフラッシュＲＯＭ（フラッシュメモリ）である。記憶部２０３には、電子機器１を制御するための複数の制御プログラム２０３ａ等が記憶されている。制御部２００の各種機能は、ＣＰＵ２０１及びＤＳＰ２０２が記憶部２０３内の各種制御プログラム２０３ａを実行することによって実現される。
【００２９】
なお、制御部２００の構成は上記の例に限られない。例えば、制御部２００は、複数のＣＰＵ２０１を備えてもよい。また制御部２００は、ＤＳＰ２０２を備えなくてもよいし、複数のＤＳＰ２０２を備えてもよい。また、制御部２００の全ての機能あるいは制御部２００の一部の機能は、その機能の実現にソフトウェアが不要なハードウェア回路によって実現されてもよい。また記憶部２０３は、ＲＯＭ及びＲＡＭ以外の、コンピュータが読み取り可能な非一時的な記録媒体を備えていてもよい。記憶部２０３は、例えば、小型のハードディスクドライブ及びＳＳＤ（Solid State Drive）などを備えていてもよい。
【００３０】
記憶部２０３内の複数の制御プログラム２０３ａには、様々なアプリケーション（つまり、アプリケーションプログラム）が含まれている。記憶部２０３には、例えば、音声通話及びビデオ通話を行うための通話アプリケーション、ウェブサイトを表示するためのブラウザ、地図を表示するための地図アプリケーション、電子メールの作成、閲覧及び送受信を行うためのメールアプリケーションが記憶されている。また記憶部２０３には、カメラ２８０を利用して被写体を撮影するためのカメラアプリケーション、記憶部２０３に記録されている静止画及び動画を表示するための記録画像表示アプリケーション、記憶部２０３に記憶されている音楽データの再生制御を行うための音楽再生制御アプリケーションなどが記憶されている。記憶部２０３内の少なくとも一つのアプリケーションは、記憶部２０３内にあらかじめ記憶されているものであってよい。また、記憶部２０３内の少なくとも一つのアプリケーションは、電子機器１が他の装置からダウンロードして記憶部２０３内に記憶したものであってよい。
【００３１】
無線通信部２３０は、アンテナ２３１を有している。無線通信部２３０は、アンテナ２３１を用いて、例えば複数種類の通信方式で無線通信することが可能である。無線通信部２３０の無線通信は、制御部２００によって制御される。
【００３２】
無線通信部２３０は、携帯電話システムの基地局と無線通信することが可能である。無線通信部２３０は、当該基地局及びインターネット等のネットワークを通じて、電子機器１とは別の携帯電話機及びウェブサーバ等と通信することが可能である。電子機器１は、他の携帯電話機等と、データ通信、音声通話及びビデオ通話等を行うことが可能である。
【００３３】
また無線通信部２３０は、ＷｉＦｉ等の無線ＬＡＮ（Local Area Network）を用いて無線通信を行うことが可能である。また無線通信部２３０は、近距離無線通信を行うことが可能である。例えば、無線通信部２３０は、Ｂｌｕｅｔｏｏｔｈ（登録商標）に準拠して無線通信することが可能である。無線通信部２３０は、ＺｉｇＢｅｅ（登録商標）及びＮＦＣ（Near Field Communication）の少なくとも一方に準拠して無線通信することが可能であってもよい。
【００３４】
無線通信部２３０は、アンテナ２３１で受信した信号に対して増幅処理等の各種処理を行い、処理後の受信信号を制御部２００に出力する。制御部２００は、入力される受信信号に対して各種処理を行って、当該受信信号に含まれる情報を取得する。また、制御部２００は、情報を含む送信信号を無線通信部２３０に出力する。無線通信部２３０は、入力される送信信号に対して増幅処理等の各種処理を行って、処理後の送信信号をアンテナ２３１から無線送信する。
【００３５】
表示部２１０は、電子機器１の第１主面１０１に位置する表示面２１と、表示パネル２１１と、バックライト２１２とを備える。表示部２１０は、表示面２１に各種情報を表示することが可能である。表示パネル２１１は、例えば、液晶表示パネルであって、複数の画素（「画素部」あるいは「画素回路」とも呼ばれる）を備える。表示パネル２１１は、例えば、液晶、ガラス基板及び偏光板等を備える。表示パネル２１１は、筐体１０内において、表示面２１と対向している。表示パネル２１１に表示される情報は、電子機器１の表面の表示面２１に表示される。バックライト２１２は、表示パネル２１１の裏側から当該表示パネル２１１に対して光を照射する。バックライト２１２は、例えば、少なくとも一つのＬＥＤ（発光ダイオード）を備える。表示パネル２１１は、制御部２００によって制御されることにより、画素単位で、バックライト２１２からの光の透過量を制御することが可能である。これにより、表示パネル２１１は、各種情報を表示することが可能である。バックライト２１２が点灯しているときに表示パネル２１１の各画素が制御部２００によって制御されることにより、表示部２１０は、文字、記号及び図形などの各種情報を表示することが可能である。制御部２００は、バックライト２１２を制御することが可能である。制御部２００は、例えば、バックライト２１２を点灯させたり、消灯させたりすることが可能である。
【００３６】
表示部２２０は、電子機器１の第２主面１０２に位置する表示面２２と、表示パネル２２１と、バックライト２２２とを備えている。表示部２２０は、表示面２２に各種情報を表示することが可能である。表示パネル２２１の構成及び動作は、上述の表示パネル２１１の構成及び動作と同様である。バックライト２２２の構成及び動作は、上述のバックライト２１２の構成及び動作と同様である。表示部２２０は、バックライト２２２が点灯しているときに表示パネル２２１の各画素が制御部２００によって制御されることにより、文字、記号及び図形などの各種情報を表示することが可能である。制御部２００は、表示面２１及び２２のそれぞれの表示を独立して制御することが可能である。制御部２００は、バックライト２２２を制御することが可能である。制御部２００は、例えば、バックライト２２２を点灯させたり、消灯させたりすることが可能である。
【００３７】
なお、表示パネル２１１及び２２１の少なくとも一方は、液晶表示パネル以外の表示パネルであってもよい。例えば、表示パネル２１１は、有機ＥＬ（Electroluminescence）パネルなどの自発光型の表示パネルであってもよい。この場合には、バックライト２１２は不要になる。同様に、表示パネル２２１は、有機ＥＬパネルなどの自発光型の表示パネルであってもよい。この場合には、バックライト２２２は不要になる。
【００３８】
制御部２００は、表示面２１を表示状態にしたり、非表示状態にしたりすることができる。同様に、制御部２００は、表示面２２を表示状態にしたり、非表示状態にしたりすることができる。ここで、表示状態とは、電子機器１が意図的に表示面（言い換えれば表示領域）に表示を行っている状態を意味する。また非表示状態とは、電子機器１が意図的に表示面に表示を行うことを実行してない状態を意味する。本例では、バックライト２１２が消灯すると、電子機器１は、意図的に表示面２１に表示を行うことができない。したがって、バックライト２１２が消灯しているときには、表示面２１は非表示状態である。言い換えれば、バックライト２１２が駆動されていないときには、表示面２１は非表示状態である。また、表示パネル２１１が有機ＥＬパネル等の自発光型の表示パネルである場合には、全画素が発光していない場合、表示面２１は非表示状態である。つまり、表示パネル２１１の表示領域の全領域が消灯状態の場合、表示面２１は非表示状態である。表示面２２についても同様である。
【００３９】
タッチセンサ３１０は、表示面２１に対する指等の操作子によるタッチ操作を検出することが可能である。タッチセンサ３１０は、表示面２１に対する操作入力を検出することができるとも言える。タッチセンサ３１０はタッチパネルとも言われる。タッチセンサ３１０は、例えば、投影型静電容量方式のタッチセンサである。タッチセンサ３１０は、例えば、表示面２１の裏側に位置する。ユーザが指等の操作子によって表示面２１に対して操作を行ったとき、その操作に応じた電気信号をタッチセンサ３１０は制御部２００に入力することが可能である。制御部２００は、タッチセンサ３１０からの電気信号（出力信号）に基づいて、表示面２１に対して行われた操作の内容を特定することが可能である。そして制御部２００は、特定した操作内容に応じた処理を行うことが可能である。これにより、制御部２００は、タッチセンサ３１０で検出された操作に応じた処理を行うことが可能である。ユーザは、表示面２１を指等で操作することによって、電子機器１に対して各種情報を入力することができる。
【００４０】
タッチセンサ３２０は、表示面２２に対する指等の操作子によるタッチ操作を検出することが可能である。タッチセンサ３２０は、表示面２２に対する操作入力を検出することができるとも言える。タッチセンサ３２０の構成及び動作はタッチセンサ３１０と同様である。制御部２００は、タッチセンサ３２０からの電気信号（出力信号）に基づいて、表示面２２に対して行われた操作の内容を特定することが可能である。そして制御部２００は、特定した操作内容に応じた処理を行うことが可能である。これにより、制御部２００は、タッチセンサ３２０で検出された操作に応じた処理を行うことが可能である。ユーザは、表示面２２を指等で操作することによって、電子機器１に対して各種情報を入力することができる。
【００４１】
なおユーザは、指以外の操作子、例えば、スタイラスペンなどのタッチセンサ用ペンで表示面を操作することによっても、電子機器１に対して各種情報を入力することができる。以後、タッチセンサ３１０，３２０を特に区別する必要がない場合には、それぞれをタッチセンサと呼ぶことがある。
【００４２】
電子機器１では、表示パネル２１１及びタッチセンサ３１０の代わりに、タッチセンサが組み込まれたインセル型の表示パネルが採用されてもよい。この場合には、当該表示パネルは、表示面２１に対する操作入力を検出するセンサとしても機能する。同様に、表示パネル２２１及びタッチセンサ３２０の代わりに、タッチセンサが組み込まれたインセル型の表示パネルが採用されてもよい。
【００４３】
電源ボタン４０は、ユーザによって操作されると、具体的には押下されると、操作されたことを示す操作信号を制御部２００に出力することが可能である。これにより、制御部２００は、電源ボタン４０が操作されたか否かを判断することができる。操作信号が入力された制御部２００が他の構成要素を制御することによって、電子機器１では、電源ボタン４０に対する操作に応じた機能が実行される。
【００４４】
マイク２７０は、電子機器１の外部から入力される音を電気的な音信号に変換して制御部２００に出力することが可能である。電子機器１の外部からの音は、マイク穴３２から電子機器１の内部に取り込まれてマイク２７０に入力される。
【００４５】
スピーカ２６０は、例えばダイナミックスピーカである。スピーカ２６０は、制御部２００からの電気的な音信号を音に変換して出力することが可能である。スピーカ２６０から出力される音は、スピーカ穴３１から外部に出力される。ユーザは、スピーカ穴３１から出力される音を、電子機器１から離れた場所でも聞こえることが可能である。
【００４６】
レシーバ２５０は受話音を出力することが可能である。レシーバ２５０は例えばダイナミックスピーカである。レシーバ２５０は、制御部２００からの電気的な音信号を音に変換して出力することが可能である。レシーバ２５０から出力される音はレシーバ穴３０から外部に出力される。レシーバ穴３０から出力される音の音量は、スピーカ穴３１から出力される音の音量よりも小さくなっている。ユーザは、レシーバ穴３０から出力される音を、当該レシーバ穴３０に耳を近づけることによって聞くことができる。なお、電子機器１は、レシーバ２５０の代わりに、筐体１０の第１主面１０１を振動させる、圧電振動素子等の振動素子を備えてもよい。この場合には、音は、第１主面１０１の振動によりユーザに伝達される。
【００４７】
カメラ２８０は、レンズ３３及びイメージセンサ等を備えている。カメラ２８０は、制御部２００による制御に基づいて被写体を撮影し、撮影した被写体を示す静止画あるいは動画を生成して制御部２００に出力することが可能である。なお、電子機器１は複数のカメラ２８０を備えてもよい。
【００４８】
加速度センサ３３０は、電子機器１の加速度を検出することが可能である。加速度センサ３３０は例えば３軸加速度センサである。加速度センサ３３０は、ｘ軸方向、ｙ軸方向及びｚ軸方向の電子機器１の加速度を検出することが可能である。ｘ軸方向、ｙ軸方向及びｚ軸方向は、例えば、電子機器１の長手方向、短手方向及び厚み方向にそれぞれ設定される。加速度センサ３３０での検出結果は制御部２００に入力される。
【００４９】
ジャイロセンサ３４０は例えば３軸ジャイロセンサである。ジャイロセンサ３４０、ｘ軸、ｙ軸及びｚ軸のそれぞれの軸周りの角速度を検出することが可能である。ジャイロセンサ３４０での検出結果は制御部２００に入力される。
【００５０】
近接センサ３５０は、例えば赤外線方式の近接センサである。近接センサ３５０は、当該近接センサ３５０に対して物体が所定距離以内に近接すると検出信号を出力する。この検出信号は制御部２００に入力される。近接センサ３５０は、電子機器１の第１主面１０１に近接あるいは接触する物体を検出することが可能である。言い換えれば、近接センサ３５０は、表示面２１に近接あるいは接触する物体を検出することが可能である。近接センサ３５０での検出結果は制御部２００に入力される。
【００５１】
照度センサ３６０は、電子機器１の周囲の明るさを検出することが可能である。具体的には、照度センサ３６０は、第１主面１０１の周囲の明るさを検出することが可能である。言い換えれば、照度センサ３６０は、表示面２１の周囲の明るさを検出することが可能である。照度センサ３６０での検出結果は制御部２００に入力される。なお、照度センサ３６０と近接センサ３５０とは一体化されてもよい。
【００５２】
電池３８０は電子機器１の電源を出力することが可能である。電池３８０は例えば充電式の電池である。電池３８０から出力される電源は、電子機器１が備える制御部２００及び無線通信部２３０などの各種構成に対して供給される。
【００５３】
なお電子機器１は、タッチセンサ３１０及び３２０、加速度センサ３３０、ジャイロセンサ３４０、近接センサ３５０及び照度センサ３６０以外のセンサを備えてもよい。例えば、電子機器１は、気圧センサ、地磁気センサ、温度センサ及び位置検出センサの少なくとも一つを備えてもよい。
【００５４】
＜電子機器の動作モード＞
電子機器１は多数の動作モードを有している。電子機器１の動作モードには、例えば、通常モード、スリープモード及びシャットダウンモードが含まれる。シャットダウンモードでは、電子機器１がシャットダウンし、電子機器１のほとんどの機能が停止する。スリープモードでは、電子機器１における、表示機能を含む一部の機能が停止する。通常モードは、電子機器１がスリープモード及びシャットダウンモード以外で動作している状態を意味する。制御部２００が、設定すべき動作モードに応じて電子機器１の所定の構成を制御することによって、電子機器１の動作モードが設定される。以後、単に動作モードと言えば、電子機器１の動作モードを意味する。
【００５５】
スリープモードでは、例えば、表示パネル２１１及び２２１、タッチセンサ３１０及び３２０、カメラ２８０等を含む電子機器１の一部の構成が動作しない。シャットダウンモードでは、表示パネル２１１及び２２１、タッチセンサ３１０及び３２０、カメラ２８０等を含む電子機器１のほとんどの構成が動作しない。スリープモードでは、通常モードよりも電子機器１の消費電力が低減する。シャットダウンモードでは、スリープモードよりも電子機器１の消費電力が低減する。スリープモード及びシャットダウンモードでは、表示面２１及び２２は非表示状態となる。
【００５６】
本例では、通常モードにおいて、電源ボタン４０が長時間押されると、通常モードからシャットダウンモードに遷移させるか否かをユーザに確認するための確認画面が例えば表示面２１に表示される。表示面２１に確認画面が表示されている状態において、ユーザが表示面２１に対して所定の操作を行うと、通常モードからシャットダウンモードに遷移する。
【００５７】
また通常モードにおいて、電子機器１に対して一定時間以上操作が行われなければ、通常モードからスリープモードに遷移する。また、通常モードにおいて、電源ボタン４０が短時間押されると、通常モードからスリープモードに遷移する。一方で、スリープモードにおいて、電源ボタン４０が短時間押されたとき、スリープモードから通常モードに遷移する。
【００５８】
また、電子機器１の通常モードには、例えば、シングルディスプレイモード及びマルチディスプレイモードが含まれる。シングルディスプレイモードでは、表示面２１及び２２のうち表示面２１だけの表示が行われる。シングルディスプレイモードでは、表示面２２が常に非表示状態となる。マルチディスプレイモードでは、表示面２１及び２２の両方の表示が行われる。以後、シングルディスプレイモードをＳＤモードと呼び、マルチディスプレイモードをＭＤモードと呼ぶことがある。
【００５９】
ＭＤモードは、第１ＭＤモード及び第２ＭＤモードを備える。第１ＭＤモードでは、表示面２１及び２２のそれぞれに同じ画面が表示される。第２ＭＤモードでは、表示面２１及び２２に異なる画面が表示される。
【００６０】
動作モードが第１ＭＤモードである場合に、制御部２００がブラウザを実行している例を考える。この場合、制御部２００は、同じウェブページを表示面２１及び２２のそれぞれに表示することができる。
【００６１】
また、動作モードが第２ＭＤモードである場合に、制御部２００がブラウザ及び地図アプリケーションを実行している例を考える。この場合、制御部２００は、表示面２１にウェブページ及び地図の一方を表示し、表示面２２にウェブページ及び地図の他方を表示することができる。
【００６２】
電子機器１が通常モードで動作する場合、ユーザは、例えば表示面２１に対して所定操作を行うことによって、電子機器１が動作する動作モードを電子機器１に対して指定することができる。電子機器１は、ユーザから指定された動作モードで動作する。
【００６３】
なお、電子機器１が上述の図３〜５に示されるように開閉可能である場合には、開状態の電子機器１（図４参照）は、動作モードとして、表示面２１及び２２を大きな一つの表示面として、一つの画面を表示面２１及び２２に表示する第３ＭＤモードを備えてもよい。動作モードが第３ＭＤモードである場合に、例えば、制御部２００が記憶部２０３内の動画を再生するとき、制御部２００は、表示面２１及び２２で構成される大きな画面にフレーム画像を表示することができる。
【００６４】
＜ＭＤモードでの表示制御例＞
以下に、ＭＤモードで動作する電子機器１での表示制御の例について説明する。以下の説明では、特に断らない限り、電子機器１はＭＤモードで動作しているものとする。また、電子機器１が上述の図３〜５に示されるように開閉可能である場合には、以下の説明では電子機器１は閉状態で動作するものとする。
【００６５】
＜非表示状態の決定方法＞
本例では、制御部２００は、電子機器１の表面に位置する情報表示領域２０に対する物体の接触あるいは近接の状況に基づいて、表示面２１及び２２のそれぞれについて非表示状態にするか否かを決定する。具体的には、制御部２００は、表示面２１に対する物体の接触あるいは近接の状況に基づいて、表示面２１を非表示状態にするか否かを決定する。また、制御部２００は、表示面２２に対する物体の接触あるいは近接の状況に基づいて、表示面２２を非表示状態にするか否かを決定する。本例では、電子機器１がＭＤモードで動作する場合、表示面は非表示状態にすると決定されない限り、表示状態であるとする。以後、説明の対象の表示面を対象表示面と呼ぶことがある。また、対象表示面に対する操作を検出するタッチセンサを対象タッチセンサと呼ぶことがある。例えば、表示面２１が対象表示面である場合、対象タッチセンサはタッチセンサ３１０となる。対象表示面は対象表示領域であるとも言える。
【００６６】
図７は、制御部２００が、対象表示面に対する物体の接触あるいは近接の状況に基づいて、対象表示面について非表示状態にするか否かを決定する非表示決定処理の一例を示すフローチャートである。非表示決定処理では、対象表示領域に対する物体の接触あるいは近接の状況に基づいて、対象表示領域について非表示状態にするか否かが決定されるとも言える。制御部２００は、電子機器１がＭＤモードで動作する場合、表示面２１及び２２のそれぞれについて、図７に示される非表示決定処理を繰り返し実行する。
【００６７】
図７に示されるように、ステップｓ１において、制御部２００は、対象タッチセンサでの検出結果を取得する。次にステップｓ２において、制御部２００は、取得した検出結果に基づいて、対象表示面に対する物体の接触の状況を特定する。例えば、制御部２００は、取得した検出結果に基づいて、対象表示面において物体が接触している領域の面積を求める。以後、当該面積を物体接触面積と呼ぶことがある。
【００６８】
次にステップｓ３において、制御部２００は、ステップｓ２で取得した物体接触面積に基づいて、対象表示面を非表示状態にするか否かを決定する。ステップｓ３では、制御部２００は、物体接触面積がしきい値以上である場合、対象表示面を非表示状態にすることを決定する。これにより、対象表示面は非表示状態に設定される。一方で、制御部２００は、物体接触面積がしきい値未満である場合、対象表示面を非表示状態にしないことを決定する。これにより、対象表示面では表示状態が維持される。
【００６９】
以上のような非表示決定処理が表示面２１及び２２のそれぞれについて実行されることによって、電子機器１は、表示面２１及び２２のうち、人が見る可能性が高い表示面を表示状態とし、人が見る可能性が低い表示面を非表示状態にすることができる。これにより、電子機器１の利便性を維持しつつ、電子機器１の消費電力を低減することができる。
【００７０】
例えば、図８に示されるように、ユーザが片方の手５００で電子機器１を持つ場合を考える。この場合、ユーザから見えにくく、人が見る可能性が低い表示面では、広い範囲において手５００が接触する可能性が高い。一方で、ユーザから見えやすく、人が見る可能性が高い表示面では、手５００が接触する範囲が狭くなる可能性が高い。図８の例では、ユーザから見えにくい表示面２２では広い範囲において手５００が接触し、ユーザから見えやすい表示面では手５００が接触していない。したがって、図８の例では、ユーザから見えにくい表示面２２が非表示状態となり、ユーザから見えやすい表示面２１が表示状態となる。言い換えれば、人が見る可能性が低い表示面２２が非表示状態となり、人が見る可能性が高い表示面２２が表示状態となる。
【００７１】
なお、図９に示されるように、電子機器１が、第２主面１０２に位置する近接センサ４５０を備える場合には、制御部２００は、表示面２１についての非表示決定処理において近接センサ３５０での検出結果を使用し、表示面２２についての非表示決定処理において近接センサ４５０での検出結果を使用してもよい。以後、近接センサ３５０及び４５０を区別する必要が無い場合には、それぞれを近接センサと呼ぶことがある。また、対象表示面に対する物体の近接あるいは接触を検出することが可能な近接センサを対象近接センサと呼ぶことがある。表示面２２が対象表示面である場合には、対象近接センサは近接センサ４５０となる。
【００７２】
対象表示面についての非表示決定処理において対象近接センサでの検出結果が使用される場合には、制御部２００は、ステップｓ１において対象近接センサでの検出結果を取得する。次にステップｓ２において、制御部２００は、取得した検出結果に基づいて、対象表示面に対する物体の近接あるいは接触の状況を特定する。例えば、制御部２００は、対象近接センサが物体を検出すると、対象表示面に対して物体が近接あるいは接触していると判定する。そして、ステップｓ３において、制御部２００は、対象表示面を非表示状態にすることを決定する。一方で、制御部２００は、対象近接センサが物体を検出しない場合には、対象表示面に対して物体が近接及び接触していないと判定する。そして、ステップｓ３において、制御部２００は対象表示面を非表示状態にしないことを決定する。以後、近接センサでの検出結果を使用した非表示決定処理を、近接センサを使用した非表示決定処理と呼ぶことがある。また、図７に示される、タッチセンサでの検出結果を使用した非表示決定処理を、タッチセンサを使用した非表示決定処理と呼ぶことがある。
【００７３】
図９に示されるように、電子機器１が、第２主面１０２に位置する照度センサ４６０を備える場合には、制御部２００は、表示面２１についての非表示決定処理において照度センサ３６０での検出結果を使用し、表示面２２についての非表示決定処理において照度センサ４６０での検出結果を使用してもよい。以後、照度センサ３６０及び４６０を区別する必要が無い場合には、それぞれを照度センサと呼ぶことがある。また、対象表示面の周囲の明るさを検出する照度センサを対象照度センサと呼ぶことがある。表示面２１が対象表示面である場合には、対象照度センサは照度センサ３６０となる。
【００７４】
対象表示面についての非表示決定処理において対象照度センサでの検出結果が使用される場合には、制御部２００は、ステップｓ１において対象照度センサでの検出結果を取得する。次にステップｓ２において、制御部２００は、取得した検出結果に基づいて、対象表示面に対する物体の近接あるいは接触の状況を特定する。例えば、制御部２００は、ステップｓ２において、対象照度センサでの検出結果から、対象表示面に対して物体が近接あるいは接触していることを特定すると、ステップｓ３において、対象表示面を非表示状態にすることを決定する。一方で、制御部２００は、対象照度センサでの検出結果から、対象表示面に対して物体が近接及び接触していないことを特定すると、ステップｓ３において対象表示面２１を非表示状態にしないことを決定する。制御部２００は、対象照度センサが検出する、対象表示面の周囲の明るさがしきい値以下の場合（つまり暗い場合）には、対象表示面に対して物体が近接あるいは接触していると判定する。一方で、制御部２００は、対象照度センサが検出する、対象表示面の周囲の明るさがしきい値未満の場合（つまり明るい場合）には、対象表示面に対して物体が近接及び接触していないと判定する。以後、照度センサでの検出結果を使用した非表示決定処理を、照度センサを使用した非表示決定処理と呼ぶことがある。
【００７５】
このように、非表示決定処理において、近接センサあるいは照度センサでの検出結果が使用されることによって、電子機器１は、タッチセンサでは検出することが難しい物体が表示面に近接あるいは接触する場合であっても、当該表示面を非表示状態に設定することができる。例えば、表示面２１が下側にして電子機器１が机の上に置かれて、表示面２１が机に接触する場合には、電子機器１は、人が見る可能性が低い表示面２１を非表示状態にすることができる。
【００７６】
また、制御部２００は、タッチセンサを使用した非表示決定処理、近接センサを使用した非表示決定処理及び照度センサを使用した非表示決定処理の少なくとも２種類の非表示決定処理を実行してもよい。例えば、制御部２００は、少なくとも２種類の非表示決定処理を、対象表示面を非表示状態にするか否かの暫定的な決定処理として実行し、当該暫定的な決定処理の結果に基づいて、対象表示面を非表状態にするか否かを最終決定してもよい。この場合、制御部２００は、暫定的な決定処理として実行される複数種類の非表示決定処理の少なくとも一種類の非表示決定処理において、対象表示面を非表示状態にすることを決定すると、対象表示面を非表示状態にすることを最終決定する。一方で、制御部２００は、暫定的な決定処理として実行する複数種類の非表示決定処理のすべてにおいて、対象表示面を非表示状態にしないことを決定すると、対象表示面を非表示状態にしないことを最終決定する。
【００７７】
なお、電子機器１は、携帯電話機以外の機器であっても、同様にして非表示決定処理を実行することができる。例えば、電子機器１が図１０〜１６に示されるようなウェアラブル機器であっても、電子機器１は同様にして非表示決定処理を行うことができる。
【００７８】
図１０及び１１は、ユーザの体にぶら下げることが可能な電子機器１の外観の一例を示す斜視図である。図１２は、図１０及び１１に示される電子機器１がユーザの腰にぶら下げられている様子の一例を示す図である。図１３及び１４は、ユーザの耳に装着することが可能な電子機器１の外観の一例を示す斜視図である。図１５及び１６は、図１３及び１４に示される電子機器１がユーザの耳に装着されている様子の一例を示す図である。以後、図１０〜１３に示される電子機器１をぶら下げ型電子機器１と呼ぶことがある。また図１４〜１７に示される電子機器１を耳装着型電子機器１と呼ぶことがある。
【００７９】
＜ぶら下げ型電子機器＞
図１０〜１２に示されるように、ぶら下げ型電子機器１の筐体１０は、例えば、平面視で円形を成している。図１０に示されるように、筐体１０の第１主面１０１には表示面２１及び近接センサ３５０が位置する。また図１１に示されるように、筐体１０の第２主面１０２には表示面２２及び近接センサ４５０が位置する。筐体１０には、例えば、ぶら下げ型電子機器１をぶら下げるためのベルト５０が取り付けられている。ぶら下げ型電子機器１は、図１２に示されるように、例えば、ベルト５０に取り付けられたフック５１がベルトループ４９１に引っかけられることによって、ユーザ４９０の腰にぶら下げられる。
【００８０】
ぶら下げ型電子機器１がユーザの体にぶら下げられる場合には、表示面２１及び２２の一方がユーザの体で覆われることがある。図１２の例では、ユーザ４９０の腰にぶら下げられたぶら下げ型電子機器１の表示面２２がユーザ４９０の体で覆われている。ぶら下げ型電子機器１が、表示面２１及び２２のそれぞれについて、上述の近接センサを使用した非表示決定処理を実行することによって、ユーザ４９０の体で覆われた、人が見る可能性が低い表示面を非表示状態にすることができる。
【００８１】
なお、第１主面１０１及び第２主面１０２に照度センサ３６０及び４６０がそれぞれ位置する場合には、ぶら下げ型電子機器１は上述の照度センサを使用した非表示決定処理を実行してもよい。
【００８２】
また、ぶら下げ型電子機器１が、第１主面１０１にあたる風の風量を検出する第１風量センサと、第２主面１０２にあたる風の風量を検出する第２風量センサとを備える場合には、当該第１及び第２風量センサでの検出結果が非表示決定処理で使用されてもよい。以後、第１及び第２風量センサを特に区別する必要がない場合には、それぞれを風量センサと呼ぶことがある。また、説明対象の表示面（つまり、対象表示面）にあたる風の風量を検出する風量センサを対象風量センサと呼ぶことがある。
【００８３】
対象表示面についての非表示決定処理において対象風量センサでの検出結果が使用される場合には、ステップｓ１において、制御部２００は、対象風量センサでの検出結果を取得する。次にステップｓ２において、制御部２００は、取得した検出結果に基づいて、対象表示面に対する物体の接触あるいは近接の状況を特定する。例えば、制御部２００は、対象風量センサが検出する風量がしきい値以下の場合、対象表示面に対して物体が接触あるいは近接していると判定する。一方で、制御部２００は、対象風量センサが検出する風量がしきい値よりも大きい場合、対象表示面に対して物体が接触及び近接していないと判定する。制御部２００は、対象表示面に対して物体が接触あるいは近接していると判定すると、ステップｓ３において、対象表示面を非表示状態にすることを決定する。一方で、制御部２００は、対象表示面に対して物体が接触及び近接していないと判定すると、ステップｓ３において、対象表示面を非表示状態にしないことを決定する。以後、このような、風量センサでの検出結果を使用した非表示決定処理を、風量センサを使用した非表示決定処理と呼ぶことがある。
【００８４】
ここで、ぶら下げ型電子機器１がユーザの体にぶら下げられている場合には、表示面２１及び２２のうち、ユーザの体で覆われていない一方の表示面には風がよくあたり、ユーザの体で覆われている他方の表示面には風があまりあたらない可能性が高い。したがって、ぶら下げ型電子機器１が、表示面２１及び２２のそれぞれについて、上述のような風量センサを使用した非表示決定処理を実行することによって、ユーザ４９０の体で覆われた、人が見る可能性が低い表示面を非表示状態にすることができる。
【００８５】
なお、ぶら下げ型電子機器１の制御部２００は、近接センサを使用した非表示決定処理、照度センサを使用した非表示決定処理及び風量センサを使用した非表示決定処理の少なくとも２種類の非表示決定処理を、対象表示面を非表示状態にするか否かの暫定的な決定処理として実行し、当該暫定的な決定処理の結果に基づいて、対象表示面を非表状態にするか否かを最終決定してもよい。
【００８６】
また、ユーザがぶら下げ型電子機器１を体にぶら下げた状態で移動する場合には、ユーザの体で覆われた一方の表示面にあたる風の風量と、ユーザの体で覆われていない他方の表示面にあたる風の風量との差異が大きくなる。したがって、ユーザが移動しているときに、言い換えれば、ぶら下げ型電子機器１が移動しているときに、風量センサを使用した非表示決定処理が実行されることによって、ユーザ４９０の体で覆われた、人が見る可能性が低い表示面をより確実に非表示状態にすることができる。この場合、ぶら下げ型電子機器１の制御部２００は、ぶら下げ型電子機器１が移動していると判定すると、風量センサを使用した非表示決定処理を実行し、ぶら下げ型電子機器１が移動していないと判定すると、近接センサを使用した非表示決定処理あるいは照度センサを使用した非表示決定処理を実行してもよい。制御部２００は、例えば、加速度センサ３３０での検出結果に基づいて、ぶら下げ型電子機器１が移動しているか否かを判定することができる。
【００８７】
上述の図１〜６に示される電子機器１においても、同様にして、風量センサを使用した非表示決定処理が実行されてもよい。
【００８８】
＜耳装着型電子機器＞
図１３及び１４に示されるように、耳装着型電子機器１の筐体１０は、耳装着型電子機器１を耳に装着するための装着部５５を有する。図１３に示されるように、筐体１０の第１主面１０１には表示面２１及び近接センサ３５０が位置する。また図１４に示されるように、筐体１０の第２主面１０２には表示面２２及び近接センサ４５０が位置する。
【００８９】
耳装着型電子機器１は、図１５に示されるように、ユーザ４９０の右耳４９５に装着することができる。また、耳装着型電子機器１は、図１６に示されるように、ユーザ４９０の左耳４９６にも装着することができる。
【００９０】
図１５に示されるように、耳装着型電子機器１がユーザ４９０の右耳４９５に装着されている場合、表示面２２がユーザ４９０の頭で覆われることになる。よって、右耳４９５に装着された耳装着型電子機器１では、表示面２２を人が見る可能性は低い。一方で、図１６に示されるように、耳装着型電子機器１がユーザ４９０の左耳４９６に装着されている場合、表示面２１がユーザ４９０の頭で覆われることになる。よって、左耳４９６に装着された耳装着型電子機器１では、表示面２１を人が見る可能性は低い。耳装着型電子機器１が、表示面２１及び２２のそれぞれについて、上述の近接センサを使用した非表示決定処理を実行することによって、ユーザ４９０の頭で覆われた、人が見る可能性が低い表示面を非表示状態にすることができる。
【００９１】
なお、第１主面１０１及び第２主面１０２に照度センサ３６０及び４６０がそれぞれ位置する場合には、耳装着型電子機器１は照度センサを使用した非表示決定処理を実行してもよい。
【００９２】
また、耳装着型電子機器１は、上述の第１及び第２風量センサを備える場合には、上述と同様にして、風量センサを使用した非表示決定処理を実行してもよい。
【００９３】
また、耳装着型電子機器１は、近接センサを使用した非表示決定処理、照度センサを使用した非表示決定処理及び風量センサを使用した非表示決定処理の少なくとも２種類の非表示決定処理を、対象表示面を非表示状態にするか否かの暫定的な決定処理として実行し、当該暫定的な決定処理の結果に基づいて、対象表示面を非表状態にするか否かを最終決定してもよい。
【００９４】
なお、電子機器１が携帯電話機であるのかウェアラブル機器であるかにかかわらず、制御部２００は、対象表示面を非表示状態にするか否かの決定において、対象タッチセンサでの検出結果を使用しない場合には、対象表示面を非表示状態にすることを決定したとき、対象タッチパネルの機能を停止してもよい。これにより、人が見ない可能性が高い表示面に対する操作を電子機器１が検出する可能性を低減することができる。
【００９５】
また、制御部２００は、対象近接センサが物体を検出すると、対象表示面を非表示状態にする替わりに、対象タッチパネルの機能を停止してもよい。また、制御部２００は、対象照度センサで検出される明るさがしきい値以下の場合、対象表示面を非表示状態にする替わりに、対象タッチパネルの機能を停止してもよい。また、制御部２００は、対象風量センサで検出される風量がしきい値以下の場合、対象表示面を非表示状態にする替わりに、対象タッチパネルの機能を停止してもよい。
【００９６】
＜電子機器の回転に応じた表示制御＞
制御部２００は、電子機器１の回転に応じて、情報表示領域２０の表示を変化させることができる。以後、この表示制御を回転に応じた表示制御と呼ぶことがある。
【００９７】
制御部２００は、例えば、図１７に示されるように、表示面２１及び２２に平行であり、かつ電子機器１の長手方向に平行な第１回転軸５１０の周りの回転に応じて、表示面２１及び２２の表示を変化させることができる。また、制御部２００は、図１８に示されるように、表示面２１及び２２に平行であり、かつ電子機器１の短手方向に平行な第２回転軸５２０の周りの回転に応じて、表示面２１及び２２の表示を変化させることができる。
【００９８】
以後、回転と言えば、特に断らない限り、電子機器１の回転を意味する。また、電子機器１の第１回転軸５１０の周りの回転を説明する場合に、時計回りの回転と言えば、図１９のように、第１回転軸５１０を第２側面１１２側から見た場合の第１回転軸５１０の周りの時計回りの回転５１１を意味する。また、電子機器１の第１回転軸５１０の周りの回転を説明する場合に、反時計回りの回転と言えば、図１９のように、第１回転軸５１０を第２側面１１２側から見た場合の第１回転軸５１０の周りの反時計回りの回転５１２を意味する。図１９では、スピーカ穴３１及びマイク穴３２の記載を省略している。
【００９９】
また、電子機器１の第２回転軸５２０の周りの回転を説明する場合に、時計回りの回転と言えば、図２０のように、第２回転軸５２０を第４側面１１４側から見た場合の第２回転軸５２０の周りの時計回りの回転５２１を意味する。また、電子機器１の第２回転軸５２０の周りの回転を説明する場合に、反時計回りの回転と言えば、図２０のように、第２回転軸５２０を第４側面１１４側から見た場合の第２回転軸５２０の周りの反時計回りの回転５２２を意味する。図２０では、電源ボタン４０の記載を省略している。
【０１００】
また、第１回転軸５１０の周りの回転を第１回転と呼ぶことがある。また、第１回転軸５１０の周りの時計回りの回転及び反時計回りの回転を、それぞれ、時計回りの第１回転及び反時計回りの第１回転と呼ぶことがある。
【０１０１】
また、第２回転軸５２０の周りの回転を第２回転と呼ぶことがある。また、第２回転軸５２０の周りの時計回りの回転及び反時計回りの回転を、それぞれ時計回りの第２回転及び反時計回りの第２回転と呼ぶことがある。
【０１０２】
本例では、制御部２００は、時計回りの第１回転に応じて、表示面２１及び２２の表示を変化させることができる。また制御部２００は、反時計回りの第１回転に応じて、表示面２１及び２２の表示を変化させることができる。また制御部２００は、時計回りの第２回転に応じて、表示面２１及び２２の表示を変化させることができる。そして、制御部２００は、反時計回りの第２回転に応じて、表示面２１及び２２の表示を変化させることができる。以下に、回転に応じた表示制御の複数の例について説明する。
【０１０３】
＜回転に応じた表示制御の第１の例＞
本例では、制御部２００は、複数のページから成るコンテンツを表示する場合、回転に応じて、情報表示領域２０でのページの表示を制御する。この表示制御を、回転に応じたページ表示制御と呼ぶことがある。複数のページから成るコンテンツとしては、例えば、ホーム画面、電子書籍及びＰＤＦファイル等が挙げられる。ページは１枚の画像あるいは１枚の画面であるとも言える。
【０１０４】
回転に応じたページ表示制御では、制御部２００は、例えば、あるページを表示面に表示しているときに生じる回転に応じて、他のページを他の表示面に表示する。具体的には、制御部２００は、あるページを表示面に表示しているときに生じる第１回転軸５１０の周りの回転に応じて、他のページを他の表示面に表示することができる。以後、この表示制御を、第１回転に応じたページ表示制御と呼ぶことがある。
【０１０５】
図２１は、コンテンツを構成する複数のページ６００の一例を示す図である。図２１の例では、複数のページ６００が、左側から右側にかけて先頭から順に示されている。ページ６００ａは先頭のページ６００であり、ページ６００ｂは先頭から２番目のページ６００であり、ページ６００ｃは最後のページ６００である。以後、ページ６００ａ〜６００ｃをそれぞれページ１〜３と呼ぶことがある。
【０１０６】
制御部２００は、あるページ６００が表示面２１及び２２の一方に表示されている場合に、第１回転軸５１０の周りに、電子機器１が基準姿勢から時計回りに１８０度回転すると、当該あるページ６００の次のページ６００を表示面２１及び２２の他方に表示する。制御部２００は、最後のページ６００ｃが表示面２１及び２２の一方に表示されている場合に、第１回転軸５１０の周りに、電子機器１が基準姿勢から時計回りに１８０度回転すると、表示面２１及び２２の他方に先頭のページ６００ａを表示してもよいし、最後のページ６００ｃを表示してもよい。
【０１０７】
一方で、制御部２００は、あるページ６００が表示面２１及び２２の一方に表示されている場合に、第１回転軸５１０の周りに、電子機器１が基準姿勢から反時計回りに１８０度回転すると、当該あるページ６００の前のページ６００を表示面２１及び２２の他方に表示する。制御部２００は、最初のページ６００ａが表示面２１及び２２の一方に表示されている場合に、第１回転軸５１０の周りに、電子機器１が基準姿勢から反時計回りに１８０度回転すると、表示面２１及び２２の他方に最後のページ６００ｃを表示してもよいし、最初のページ６００ａを表示してもよい。
【０１０８】
また、制御部２００は、あるページを表示面に表示しているときに生じる第２回転軸５２０の周りの回転に応じて、他のページを他の表示面に表示することができる。以後、この表示制御を、第２回転に応じたページ表示制御と呼ぶことがある。
【０１０９】
例えば、制御部２００は、あるページ６００が表示面２１及び２２の一方に表示されている場合に、第２回転軸５２０の周りに、電子機器１が基準姿勢から時計回りに１８０度回転すると、当該あるページ６００の次のページ６００を表示面２１及び２２の他方に表示する。制御部２００は、最後のページ６００ｃが表示面２１及び２２の一方に表示されている場合に、第２回転軸５２０の周りに、電子機器１が基準姿勢から時計回りに１８０度回転すると、表示面２１及び２２の他方に先頭のページ６００ａを表示してもよいし、最後のページ６００ｃを表示してもよい。
【０１１０】
一方で、制御部２００は、あるページ６００が表示面２１及び２２の一方に表示されている場合に、第２回転軸５２０の周りに、電子機器１が基準姿勢から反時計回りに１８０度回転すると、当該あるページ６００の前のページ６００を表示面２１及び２２の他方に表示する。制御部２００は、最初のページ６００ａが表示面２１及び２２の一方に表示されている場合に、第２回転軸５２０の周りに、電子機器１が基準姿勢から反時計回りに１８０度回転すると、表示面２１及び２２の他方に最後のページ６００ｃを表示してもよいし、最初のページ６００ａを表示してもよい。
【０１１１】
制御部２００は、動作モードがスリープモードである場合、電源ボタン４０が短時間押されると、動作モードを通常モードに設定するとともに、電子機器１の現在の姿勢を基準姿勢とする。制御部２００は、例えば、加速度センサ３３０及びジャイロセンサ３４０での検出結果に基づいて、電子機器１の姿勢を特定することができる。制御部２００は、動作モードがＭＤモードである場合、時計回りか反時計回りかにかかわらず、電子機器１が第１回転軸５１０の周りに基準姿勢から１８０度回転したことを特定すると、回転後の電子機器１の姿勢をあらたな基準姿勢とする。また、制御部２００は、動作モードがＭＤモードである場合、時計回りか反時計回りかにかかわらず、電子機器１が第２回転軸５２０の周りに基準姿勢から１８０度回転したことを特定すると、回転後の電子機器１の姿勢をあらたな基準姿勢とする。制御部２００は、例えば、加速度センサ３３０及びジャイロセンサ３４０での検出結果に基づいて、電子機器１についての第１回転軸５１０の周りでの基準姿勢からの回転角度を特定することができる。同様に、制御部２００は、加速度センサ３３０及びジャイロセンサ３４０での検出結果に基づいて、電子機器１についての第２回転軸５２０の周りでの基準姿勢からの回転角度を特定することができる。
【０１１２】
図２２は、電子機器１が時計回りの第１回転を行う様子の一例を示す図である。図２２では、回転前の電子機器１が一番左側に示されており、回転が進んで行く様子が左側から右側にかけて示されている。図２２の例では、回転前の電子機器１での基準姿勢は、一番左に示される姿勢であるとする。後述する図２３〜２７等の電子機器１が回転を行う様子を示す図においても、回転前の電子機器１が一番左側に示されており、回転が進んで行く様子が左側から右側にかけて示されており、回転前の電子機器１での基準姿勢は、一番左に示される姿勢であるとする。図２２の例では、回転前の電子機器１の表示面２１にはページ１が表示されているものとする。
【０１１３】
表示面２１にページ１を表示する一番左側の電子機器１が、第１回転軸５１０の周りに基準姿勢から時計回りに１８０度回転すると、図２２の左から３番目に示されるように、電子機器１の表示面２２に、ページ１の一つ次のページ２が表示される。このとき、表示面２１ではページ１の表示が消去される。そして、電子機器１は、図２２の左から３番目に示される姿勢を、あらたな基準姿勢とする。その後、図２２の左から３番目に示される、表示面２２にページ２を表示する電子機器１が、第１回転軸５１０の周りに基準姿勢から時計回りに１８０度回転すると、図２２の一番右に示されるように、電子機器１の表示面２１に、ページ２の一つ次のページ３が表示される。このとき、表示面２２ではページ２の表示が消去される。そして、電子機器１は、図２２の一番右側に示される姿勢を、あらたな基準姿勢とする。
【０１１４】
ここで、上述の図８に示されるように、ユーザが片手で電子機器１を持った状態で、図２２に示されるように電子機器１を片手で回転する場合を考える。ユーザが、図２２の一番左に示される電子機器１を図８のように片手で持っている場合、ユーザにとっての裏側の表示面２２の広い範囲にユーザの手が接触する。したがって、上述の非表示決定処理によって、表示面２２が非表示状態とされる。ユーザにとっての裏側の表示面とは、ユーザにとって見えにくい表示面である。ユーザにとっての表側の表示面とは、ユーザにとって見えやすい表示面である。その後、ユーザが第１回転軸５１０の周りに片手で電子機器１を時計回りに１８０度回転すると、図２２の左から３番目の電子機器１では、表示面２１の広い範囲に手が接触することになる。したがって、非表示決定処理によって、表示面２１が非表示状態とされる。図２２の一番右の電子機器１では、表示面２２の広い範囲に手が接触することになり、表示面２２が非表示状態とされる。なお、ユーザが両手で電子機器１を持つ場合も同様である。
【０１１５】
このように、ユーザが手で電子機器１を持った状態で第１回転軸５１０の周りに電子機器１を回転する場合、電子機器１は、ユーザにとって表側の表示面にページを表示しつつ、ユーザにとって裏側の表示面を非表示状態にすることができる。そして、電子機器１は、第１回転に応じて、ユーザにとって表側の表示面に表示するページを変更することができる。よって、ユーザは、第１回転軸５１０の周りに電子機器１を回転することによって、ユーザにとって見えやすい表示面に表示されるページを電子機器１に変更させることができる。
【０１１６】
図２３は、電子機器１が反時計回りの第１回転を行う様子の一例を示す図である。図２３の一番左には、図２２の一番右に示される電子機器１が示されている。図２３では、回転が進んで行く様子が左側から右側にかけて示されている。
【０１１７】
一番左の電子機器１が、第１回転軸５１０の周りに基準姿勢から反時計回りに１８０度回転すると、図２３の左から３番目に示されるように、電子機器１の表示面２２に、ページ３の一つの前のページ２が表示される。このとき、表示面２１ではページ３の表示が消去される。また、表示面２１にユーザの手が接触している場合などには、表示面２１が非表示状態とされる。そして、電子機器１は、図２３の左から３番目に示される姿勢を、あらたな基準姿勢とする。その後、図２３の左から３番目に示される、表示面２２にページ２を表示する電子機器１が、第１回転軸５１０の周りに基準姿勢から反時計回りに１８０度回転すると、図２３の一番右に示されるように、電子機器１の表示面２１に、ページ２の一つ前のページ１が表示される。このとき、表示面２２ではページ２の表示が消去される。また、表示面２２にユーザの手が接触している場合などには、表示面２２が非表示状態とされる。そして、電子機器１は、図２３の一番右に示される姿勢を、あらたな基準姿勢とする。
【０１１８】
図２４は、電子機器１が時計回りの第２回転を行う様子の一例を示す図である。図２４では、回転前の電子機器１が左側に示されており、回転途中の電子機器１が中央に示されており、回転後の電子機器１が右側に示されている。図２４の例では、回転前の電子機器１の表示面２１にはページ１が表示されているものとする。
【０１１９】
表示面２１にページ１を表示する左側の電子機器１が、第２回転軸５２０の周りに基準姿勢から時計回りに１８０度回転すると、図２４の右側に示されるように、電子機器１の表示面２２に、ページ１の次のページ２が表示される。このとき、表示面２１ではページ１の表示が消去される。また、表示面２１にユーザの手が接触している場合などには、表示面２１が非表示状態とされる。そして、電子機器１は、図２４の右側に示される姿勢を、あらたな基準姿勢とする。
【０１２０】
図２５は、電子機器１が反時計回りの第２回転を行う様子の一例を示す図である。図２５の左側には、図２４の右側に示される電子機器１が示されている。左側の電子機器１が、第２回転軸５２０の周りに基準姿勢から反時計回りに１８０度回転すると、図２５の右側に示されるように、電子機器１の表示面２２に、ページ２の一つの前のページ１が表示される。このとき、表示面２１ではページ２の表示が消去される。また、表示面２１にユーザの手が接触している場合などには、表示面２１が非表示状態とされる。そして、電子機器１は、図２５の右側に示される姿勢を、あらたな基準姿勢とする。
【０１２１】
なお、一方の表示面にあるページが表示されている場合に、電子機器１が第１回転軸５１０の周りに時計回りに１８０度回転すると、当該あるページよりも複数ページ後のページが他方の表示面に表示されてもよい。同様に、一方の表示面にあるページが表示されている場合に、電子機器１が第１回転軸５１０の周りに反時計周りに１８０度回転すると、当該あるページよりも複数ページ前のページが他方の表示面に表示されてもよい。
【０１２２】
また、一方の表示面にあるページが表示されている場合に、電子機器１が第２回転軸５２０の周りに時計回りに１８０度回転すると、当該あるページよりも複数ページ後のページが他方の表示面に表示されてもよい。同様に、一方の表示面にあるページが表示されている場合に、電子機器１が第２回転軸５２０の周りに反時計周りに１８０度回転すると、当該あるページよりも複数ページ前のページが他方の表示面に表示されてもよい。
【０１２３】
また、制御部２００は、あるページを対象表示面に表示している場合に、対象表示面に対して所定操作が行われると、当該あるページとは異なるページを対象表示面に表示してもよい。例えば、制御部２００は、あるページを対象表示面に表示している場合に、対象表示面に対して右方向のスライド操作あるいはフリック操作が行われると、当該あるページの次のページを対象表示面に表示してもよい。また、制御部２００は、あるページを対象表示面に表示している場合に、対象表示面に対して左方向のスライド操作あるいはフリック操作が行われると、当該あるページの前のページを対象表示面に表示してもよい。
【０１２４】
以上のように、本例に係る電子機器１は、電子機器１の第１回転あるいは第２回転に応じて情報表示領域２０の表示を変化させる。これにより、ユーザは、第１回転軸５１０あるいは第２回転軸５２０の周りに電子機器１を回転させることによって、電子機器１に表示を変化させることができる。よって、電子機器１の利便性が向上する。
【０１２５】
また、本例では、電子機器１は、第１回転あるいは第２回転に応じて表示面２１及び２２の両方の表示を変化させる。これにより、ユーザは、第１回転軸５１０あるいは第２回転軸５２０の周りに電子機器１を回転させることによって、電子機器１に表示面２１及び２２の両方の表示を変化させることができる。
【０１２６】
また本例では、電子機器１は、一方の表示面にあるページが表示されているときに生じる第１回転あるいは第２回転に応じて、当該あるページとは異なるページを他方の表示面に表示する。このような回転に応じたページ表示制御により、ユーザは、第１回転軸５１０あるいは第２回転軸５２０の周りに電子機器１を回転させることによって、当該ユーザが見るページを電子機器１に変更させることが可能になる。
【０１２７】
また本例では、電子機器１は、一方の表示面が表示状態のときに、他方の表示面を非表示状態とすることができることから、電子機器１の消費電力が低減する。
【０１２８】
なお、制御部２００は、第１回転に応じたページ表示制御を実行しなくてもよい。また、制御部２００は、第２回転に応じたページ表示制御を実行しなくてもよい。
【０１２９】
また、電子機器１がＳＤモードで動作する場合、制御部２００は、回転に応じて、表示状態の表示面２１に表示されるページを変更してもよい。以下に、電子機器１がＳＤモードで動作する場合の回転に応じたページ表示制御について説明する。
【０１３０】
制御部２００は、あるページ６００が表示面２１に表示されている場合、第１回転軸５１０の周りに、電子機器１が基準姿勢から時計回りに３６０度回転すると、当該あるページ６００の次のページ６００を表示面２１に表示する。そして、制御部２００は、第１回転軸５１０の周りに、電子機器１が基準姿勢から時計回りに３６０度回転すると、回転後の電子機器１の姿勢をあらたな基準姿勢とする。制御部２００は、最後のページ６００ｃが表示面２１に表示されている場合に、第１回転軸５１０の周りに、電子機器１が基準姿勢から時計回りに３６０度回転すると、表示面２１に先頭のページ６００ａを表示してもよいし、最後のページ６００ｃを表示してもよい。
【０１３１】
図２６は、電子機器１が第１回転軸５１０の周りに時計回りに３６０度回転する様子の一例を示す図である。図２６では、表示面２２に斜線を示すことによって、表示面２２が非表示状態であることが示されている。後述する図においても、表示面２２に斜線を示すことによって、表示面２２が非表示状態であることを示す。図２６の例では、一番左の回転前の電子機器１の表示面２１にはページ１が表示されているものとする。
【０１３２】
一番左のＳＤモードの電子機器１が、第１回転軸５１０の周りに基準姿勢から時計回りに３６０度回転すると、図２６の一番右に示されるように、電子機器１の表示面２１に、ページ１の一つ次のページ２が表示される。そして、電子機器１は、図２６の一番右に示される姿勢を、あらたな基準姿勢とする。その後、図２６の一番右に示される電子機器１が、第１回転軸５１０の周りに時計回りに３６０度回転すると、表示面２１にはページ３が表示される。
【０１３３】
また、動作モードがＳＤモードである場合、制御部２００は、あるページ６００が表示面２１に表示されているとき、第１回転軸５１０の周りに、電子機器１が基準姿勢から反時計回りに３６０度回転すると、当該あるページ６００の前のページ６００を表示面２１に表示する。そして、制御部２００は、第１回転軸５１０の周りに、電子機器１が基準姿勢から反時計回りに３６０度回転すると、回転後の電子機器１の姿勢をあらたな基準姿勢とする。制御部２００は、先頭のページ６００ａが表示面２１に表示されている場合に、第１回転軸５１０の周りに、電子機器１が基準姿勢から反時計回りに３６０度回転すると、表示面２１に先頭のページ６００ａを表示してもよいし、最後のページ６００ｃを表示してもよい。
【０１３４】
また、動作モードがＳＤモードである場合、制御部２００は、あるページ６００が表示面２１に表示されているとき、第２回転軸５２０の周りに、電子機器１が基準姿勢から時計回りに３６０度回転すると、当該あるページ６００の次のページ６００を表示面２１に表示する。そして、制御部２００は、第２回転軸５２０の周りに、電子機器１が基準姿勢から時計回りに３６０度回転すると、回転後の電子機器１の姿勢をあらたな基準姿勢とする。制御部２００は、最後のページ６００ｃが表示面２１に表示されている場合に、第２回転軸５２０の周りに、電子機器１が基準姿勢から時計回りに３６０度回転すると、表示面２１に先頭のページ６００ａを表示してもよいし、最後のページ６００ｃを表示してもよい。
【０１３５】
図２７は、電子機器１が第２回転軸５２０の周りに時計回りに３６０度回転する様子の一例を示す図である。図２７の例では、一番左の回転前の電子機器１の表示面２１にはページ１が表示されているものとする。
【０１３６】
一番左のＳＤモードの電子機器１が、第２回転軸５２０の周りに基準姿勢から時計回りに３６０度回転すると、図２７の一番右に示されるように、電子機器１の表示面２１に、ページ１の一つ次のページ２が表示される。そして、電子機器１は、図２７の一番右に示される姿勢を、あらたな基準姿勢とする。その後、図２７の一番右に示される電子機器１が、第２回転軸５２０の周りに時計回りに３６０度回転すると、表示面２１にはページ３が表示される。
【０１３７】
また、動作モードがＳＤモードである場合、制御部２００は、あるページ６００が表示面２１に表示されているとき、第２回転軸５２０の周りに、電子機器１が基準姿勢から反時計回りに３６０度回転すると、当該あるページ６００の前のページ６００を表示面２１に表示する。そして、制御部２００は、第２回転軸５２０の周りに、電子機器１が基準姿勢から反時計回りに３６０度回転すると、回転後の電子機器１の姿勢をあらたな基準姿勢とする。制御部２００は、先頭のページ６００ａが表示面２１に表示されている場合に、第２回転軸５２０の周りに、電子機器１が基準姿勢から反時計回りに３６０度回転すると、表示面２１に先頭のページ６００ａを表示してもよいし、最後のページ６００ｃを表示してもよい。
【０１３８】
このように、電子機器１がＳＤモードである場合、制御部２００は、第１回転あるいは第２回転に応じて、表示面２１に表示されるページを変更する。これにより、ユーザは、電子機器１を第１回転軸５１０あるいは第２回転軸５２０の周りに回転させることによって、表示面２１に表示されるページを電子機器１に変更させることができる。よって、電子機器１の利便性が向上する。
【０１３９】
なお、表示面２１にあるページが表示されている場合に、電子機器１が第１回転軸５１０の周りに時計回りに３６０度回転すると、当該あるページよりも複数ページ後のページが表示面２１に表示されてもよい。また、表示面２１にあるページが表示されている場合に、電子機器１が第１回転軸５１０の周りに反時計周りに３６０度回転すると、当該あるページよりも複数ページ前のページが表示面２１に表示されてもよい。また、表示面２１にあるページが表示されている場合に、電子機器１が第２回転軸５２０の周りに時計回りに３６０度回転すると、当該あるページよりも複数ページ後のページが表示面２１に表示されてもよい。また、表示面２１にあるページが表示されている場合に、電子機器１が第２回転軸５２０の周りに反時計周りに３６０度回転すると、当該あるページよりも複数ページ前のページが表示面２１に表示されてもよい。
【０１４０】
また、制御部２００は、電子機器１の第１回転に応じて表示面２１に表示されるページを変更する処理を実行しなくてもよい。また、制御部２００は、電子機器１の第２回転に応じて表示面２１に表示されるページを変更する処理を実行しなくてもよい。
【０１４１】
また、電子機器１が表示面２１及び２２のうち表示面２１だけを備えている場合であっても、制御部２００は、電子機器１がＳＤモードである場合と同様に、回転に応じて、表示面２１に表示されるページを変更することができる。
【０１４２】
＜回転に応じた表示制御の第２の例＞
制御部２００は、実行中のアプリケーションに応じた画面を表示領域に表示することができる。例えば、制御部２００は、ブラウザを実行している場合には、ブラウザに応じた画面として、ウェブページを示す画面を表示面に表示する。また制御部２００は、メールアプリケーションを実行している場合には、メールアプリケーションに応じた画面として、例えば、メール作成画面あるいは受信メール一覧画面等を表示面に表示する。また制御部２００は、地図アプリケーションを実行している場合には、地図アプリケーションに応じた画面として、地図を示す画面を表示面に表示する。以後、実行中のアプリケーションに応じた画面をアプリ画面と呼ぶことがある。
【０１４３】
本例では、制御部２００は、回転に応じて、情報表示領域２０でのアプリ画面の表示を制御することができる。以後、この表示制御を、回転に応じたアプリ画面の表示制御と呼ぶことがある。
【０１４４】
例えば、制御部２００は、あるアプリ画面を一方の表示面に表示しているときに生じる電子機器１の回転に応じて、当該アプリ画面とは別の種類のアプリ画面を他方の表示面に表示することができる。より具体的には、制御部２００は、あるアプリ画面を一方の表示面に表示しているときに電子機器１に生じる第１回転に応じて、当該アプリ画面とは別の種類のアプリ画面を他方の表示面に表示することができる。この表示制御を、第１回転に応じたアプリ画面の表示制御と呼ぶことがある。また制御部２００は、あるアプリ画面を一方の表示面に表示しているときに電子機器１に生じる第２回転に応じて、当該アプリ画面とは別の種類のアプリ画面を他方の表示面に表示することができる。この表示制御を、第２回転に応じたアプリ画面の表示制御と呼ぶことがある。以下に、回転に応じたアプリ画面の表示制御について詳細に説明する。
【０１４５】
制御部２００は、複数のアプリケーションを実行している場合、当該複数のアプリケーションにそれぞれ対応する複数種類のアプリ画面に対して、回転に応じたアプリ画面の表示制御のための順番を付与する。
【０１４６】
図２８は、実行中の複数のアプリケーションにそれぞれ対応する複数種類のアプリ画面６１０に対して順番が付与されている様子の一例を示す図である。図２８の例では、複数種類のアプリ画面６１０ａ〜６１０ｃに対して１番〜３番の番号がそれぞれ付与されている。制御部２００は、例えば、アプリ画面に対して、それに対応するアプリケーションの実行開始タイミングが早いほど先の順番を与える。図２８の例では、実行中の複数のアプリケーションのうち、アプリ画面６１０ａに対応するアプリケーションが最初に実行されている。アプリケーションに対する順番の与え方は上記の例には限られない。
【０１４７】
制御部２００は、あるアプリ画面６１０が表示面２１及び２２の一方に表示されている場合に、第１回転軸５１０の周りに、電子機器１が基準姿勢から時計回りに１８０度回転すると、当該あるアプリ画面６１０の次の順番のアプリ画面６１０を表示面２１及び２２の他方に表示する。制御部２００は、最後の順番のアプリ画面６１０ｃが表示面２１及び２２の一方に表示されている場合に、第１回転軸５１０の周りに、電子機器１が基準姿勢から時計回りに１８０度回転すると、表示面２１及び２２の他方に最初の順番のアプリ画面６１０ａを表示してもよいし、最後の順番のアプリ画面６１０ｃを表示してもよい。
【０１４８】
一方で、制御部２００は、あるアプリ画面６１０が表示面２１及び２２の一方に表示されている場合に、第１回転軸５１０の周りに、電子機器１が基準姿勢から反時計回りに１８０度回転すると、当該あるアプリ画面６１０の前の順番のアプリ画面６１０を表示面２１及び２２の他方に表示する。制御部２００は、最初の順番のアプリ画面６１０ａが表示面２１及び２２の一方に表示されている場合に、第１回転軸５１０の周りに、電子機器１が基準姿勢から反時計回りに１８０度回転すると、表示面２１及び２２の他方に最後の順番のアプリ画面６１０ｃを表示してもよいし、最初の順番のアプリ画面６１０ａを表示してもよい。
【０１４９】
また、制御部２００は、あるアプリ画面６１０が表示面２１及び２２の一方に表示されている場合に、第２回転軸５２０の周りに、電子機器１が基準姿勢から時計回りに１８０度回転すると、当該あるアプリ画面６１０の次の順番のアプリ画面６１０を表示面２１及び２２の他方に表示する。制御部２００は、最後の順番のアプリ画面６１０ｃが表示面２１及び２２の一方に表示されている場合に、第２回転軸５２０の周りに、電子機器１が基準姿勢から時計回りに１８０度回転すると、表示面２１及び２２の他方に最初の順番のアプリ画面６１０ａを表示してもよいし、最後の順番のアプリ画面６１０ｃを表示してもよい。
【０１５０】
一方で、制御部２００は、あるアプリ画面６１０が表示面２１及び２２の一方に表示されている場合に、第２回転軸５２０の周りに、電子機器１が基準姿勢から反時計回りに１８０度回転すると、当該あるアプリ画面６１０の前の順番のアプリ画面６１０を表示面２１及び２２の他方に表示する。制御部２００は、最初の順番のアプリ画面６１０ａが表示面２１及び２２の一方に表示されている場合に、第２回転軸５２０の周りに、電子機器１が基準姿勢から反時計回りに１８０度回転すると、表示面２１及び２２の他方に最後の順番のアプリ画面６１０ｃを表示してもよいし、最初の順番のアプリ画面６１０ａを表示してもよい。基準姿勢の決定方法は上記と同様である。
【０１５１】
ここで、アプリ画面６１０ａ〜６１０ｃを、それぞれアプリ画面Ａ〜Ｃとする。そして、上述の図２２の例において一番左の電子機器１の表示面２１にアプリ画面Ａが表示されているとする。この場合、図２２の例と同様に、電子機器１が時計回りの第１回転を行うと、電子機器１の表示は図２９のようになる。図２９での左から３番目の電子機器１の表示面２２にはアプリ画面Ｂが表示され、一番右側の電子機器１の表示面２１にはアプリ画面Ｃが表示される。
【０１５２】
また上述の図２３の例において、一番左の電子機器１の表示面２１にアプリ画面Ｃが表示されているとする。この場合、図２３の例と同様に、電子機器１が反時計回りの第１回転を行うと、電子機器１の表示は図３０のようになる。図３０での左から３番目の電子機器１の表示面２２にはアプリ画面Ｂが表示され、一番右側の電子機器１の表示面２１にはアプリ画面Ａが表示される。
【０１５３】
また図３１に示されるように、上述の図２４の例において、左端の電子機器１の表示面２１にアプリ画面Ａが表示されているとする。この場合、図２４の例と同様に、電子機器１が時計回りの第２回転を行うと、図３１での右側の電子機器１のように、表示面２２にはアプリ画面Ｂが表示される。
【０１５４】
また図３２に示されるように、上述の図２５の例において、左端の電子機器１の表示面２１にアプリ画面Ｂが表示されているとする。この場合、図２５の例と同様に、電子機器１が反時計回りの第２回転を行うと、図３２での右側の電子機器１のように、表示面２２にはアプリ画面Ａが表示される。
【０１５５】
このように、本例では、電子機器１は、一方の表示面に、実行中のあるアプリケーションに応じた画面が表示されているときに生じる第１回転あるいは第２回転に応じて、当該あるアプリケーションとは異なる実行中のアプリケーションに応じた画面を他方の表示面に表示する。このような回転に応じたアプリ画面の表示制御により、ユーザは、第１回転軸５１０あるいは第２回転軸５２０の周りに電子機器１を回転させることによって、当該ユーザが見るアプリ画面の種類を電子機器１に変更させることが可能になる。
【０１５６】
また、電子機器１の第１回転あるいは第２回転が行われる場合に、上述の非表示決定処理が実行されることによって、電子機器１は、ユーザにとって表側の表示面（言い換えれば、ユーザが見やすい表示領域）にアプリ画面を表示しつつ、ユーザにとって裏側の表示面（言い換えれば、ユーザが見にくい表示領域）を非表示状態にすることができる。
【０１５７】
なお、制御部２００は、あるアプリ画面を対象表示面に表示している場合に、対象表示面に対して所定操作が行われると、当該あるアプリ画面とは異なる種類のアプリ画面を対象表示面に表示してもよい。
【０１５８】
また、制御部２００は、第１回転に応じたアプリ画面の表示制御を実行しなくてもよい。また、制御部２００は、第２回転に応じたアプリ画面の表示制御を実行しなくてもよい。
【０１５９】
また、電子機器１がＳＤモードで動作する場合、制御部２００は、回転に応じて、表示状態の表示面２１に表示されるアプリ画面の種類を変更してもよい。以下に、電子機器１がＳＤモードで動作する場合の回転に応じたアプリ画面の表示制御について説明する。
【０１６０】
制御部２００は、あるアプリ画面６１０が表示面２１に表示されている場合、第１回転軸５１０の周りに、電子機器１が基準姿勢から時計回りに３６０度回転すると、当該あるアプリ画面６１０の次の順番のアプリ画面６１０を表示面２１に表示する。そして、制御部２００は、回転後の電子機器１の姿勢をあらたな基準姿勢とする。制御部２００は、最後の順番のアプリ画面６１０ｃが表示面２１に表示されている場合に、第１回転軸５１０の周りに、電子機器１が基準姿勢から時計回りに３６０度回転すると、表示面２１に最初の順番のアプリ画面６１０ａを表示してもよいし、最後の順番のアプリ画面６１０ｃを表示してもよい。
【０１６１】
図３３は、電子機器１が第１回転軸５１０の周りに時計回りに３６０度回転する様子の一例を示す図である。図３３の例では、一番左の回転前の電子機器１の表示面２１にはアプリ画面Ａが表示されているものとする。
【０１６２】
一番左のＳＤモードの電子機器１が、第１回転軸５１０の周りに基準姿勢から時計回りに３６０度回転すると、図３３の一番右に示されるように、電子機器１の表示面２１に、アプリ画面Ａの次の順番のアプリ画面Ｂが表示される。そして、電子機器１は、図３３の一番右に示される姿勢を、あらたな基準姿勢とする。その後、図３３の一番右に示される電子機器１が、第１回転軸５１０の周りに時計回りに３６０度回転すると、表示面２１にはアプリ画面Ｃが表示される。
【０１６３】
また、動作モードがＳＤモードである場合、制御部２００は、あるアプリ画面６１０が表示面２１に表示されている場合、第１回転軸５１０の周りに、電子機器１が基準姿勢から反時計回りに３６０度回転すると、当該あるアプリ画面６１０の前の順番のアプリ画面６１０を表示面２１に表示する。そして、制御部２００は、回転後の電子機器１の姿勢をあらたな基準姿勢とする。制御部２００は、最初の順番のアプリ画面６１０ａが表示面２１に表示されている場合に、第１回転軸５１０の周りに、電子機器１が基準姿勢から反時計回りに３６０度回転すると、表示面２１に最初の順番のアプリ画面６１０ａを表示してもよいし、最後の順番のアプリ画面６１０ｃを表示してもよい。
【０１６４】
また、動作モードがＳＤモードである場合、制御部２００は、あるアプリ画面６１０が表示面２１に表示されているとき、第２回転軸５２０の周りに、電子機器１が基準姿勢から時計回りに３６０度回転すると、当該あるアプリ画面６１０の次の順番のアプリ画面６１０を表示面２１に表示する。そして、制御部２００は、回転後の電子機器１の姿勢をあらたな基準姿勢とする。制御部２００は、最後の順番のアプリ画面６１０ｃが表示面２１に表示されている場合に、第２回転軸５２０の周りに、電子機器１が基準姿勢から時計回りに３６０度回転すると、表示面２１に最初の順番のアプリ画面６１０ａを表示してもよいし、最後の順番のアプリ画面６１０ｃを表示してもよい。
【０１６５】
図３４は、電子機器１が第２回転軸５２０の周りに時計回りに３６０度回転する様子の一例を示す図である。図３４の例では、一番左の回転前の電子機器１の表示面２１にはアプリ画面Ａが表示されているものとする。
【０１６６】
一番左のＳＤモードの電子機器１が、第２回転軸５２０の周りに基準姿勢から時計回りに３６０度回転すると、図３４の一番右に示されるように、電子機器１の表示面２１に、アプリ画面Ａの一つ次の順番のアプリ画面Ｂが表示される。そして、電子機器１は、図３４の一番右側に示される姿勢を、あらたな基準姿勢とする。その後、図３４の一番右側に示される電子機器１が、第２回転軸５２０の周りに時計回りに３６０度回転すると、表示面２１にはアプリ画面Ｃが表示される。
【０１６７】
また、動作モードがＳＤモードである場合、制御部２００は、あるアプリ画面６１０が表示面２１に表示されているとき、第２回転軸５２０の周りに、電子機器１が基準姿勢から反時計回りに３６０度回転すると、当該あるアプリ画面６１０の前の順番のアプリ画面６１０を表示面２１に表示する。そして、制御部２００は、回転後の電子機器１の姿勢をあらたな基準姿勢とする。制御部２００は、最初の順番のアプリ画面６１０ａが表示面２１に表示されている場合に、第２回転軸５２０の周りに、電子機器１が基準姿勢から反時計回りに３６０度回転すると、表示面２１に最初の順番のアプリ画面６１０ａを表示してもよいし、最後の順番のアプリ画面６１０ｃを表示してもよい。
【０１６８】
このように、電子機器１がＳＤモードである場合、制御部２００は、第１回転あるいは第２回転に応じて、表示面２１に表示されるアプリ画面の種類を変更する。これにより、ユーザは、電子機器１を第１回転軸５１０あるいは第２回転軸５２０の周りに回転させることによって、表示面２１に表示されるアプリ画面の種類を電子機器１に変更させることができる。よって、電子機器１の利便性が向上する。
【０１６９】
なお制御部２００は、電子機器１の第１回転に応じて表示面２１に表示されるアプリ画面の種類を変更する処理を実行しなくてもよい。また、制御部２００は、電子機器１の第２回転に応じて表示面２１に表示されるアプリ画面の種類を変更する処理を実行しなくてもよい。
【０１７０】
また、電子機器１が表示面２１及び２２のうち表示面２１だけを備えている場合であっても、制御部２００は、電子機器１がＳＤモードである場合と同様に、回転に応じて、表示面２１に表示されるアプリ画面の種類を変更することができる。
【０１７１】
＜回転に応じた表示制御の第３の例＞
制御部２００は、一枚の画像の一部を表示面に表示することができる。例えば、制御部２００は、ウェブページを表示面に表示する場合、当該ウェブページの一部だけを表示面に表示することができる。また、制御部２００は、地図を表示面に表示する場合、当該地図の一部だけを表示面に表示することができる。また、制御部２００は、あるページを表示面に表示する場合、当該あるページの一部だけを表示面に表示することができる。以後、一枚の画像において制御部２００が表示する一部を表示対象部分と呼ぶことがある。
【０１７２】
本例では、制御部２００は、回転に応じて、情報表示領域２０での表示対象部分の表示を制御することができる。以後、この表示制御を、回転に応じた表示対象部分の表示制御と呼ぶことがある。
【０１７３】
例えば、制御部２００は、一枚の画像における表示対象部分が一方の表示面に表示されているときに生じる第１回転に応じて当該表示対象部分を変更して他方の表示面に表示することができる。この表示制御を、第１回転に応じた表示対象部分の表示制御と呼ぶことがある。また制御部２００は、一枚の画像における表示対象部分が一方の表示面に表示されているときに生じる第２回転に応じて当該表示対象部分を変更して他方の表示面に表示することができる。この表示制御を、第２回転に応じた表示対象部分の表示制御と呼ぶことがある。以下に、回転に応じた表示対象部分の表示制御について詳細に説明する。
【０１７４】
本例では、制御部２００は、一方の表示面に表示対象部分を表示している場合に、第１回転軸５１０の周りに電子機器１が時計回りに基準姿勢から１８０度回転すると、一枚の画像において表示対象部分を第１所定量だけ左方向に移動にして他方の表示面に表示する。第１所定量は、例えば、表示対象部分の横幅と同じ値に設定される。
【０１７５】
また、制御部２００は、一方の表示面に表示対象部分を表示している場合に、第１回転軸５１０の周りに電子機器１が基準姿勢から反時計回りに１８０度回転すると、一枚の画像において表示対象部分を第２所定量だけ左方向に移動にして他方の表示面に表示する。第２所定量は、例えば、表示対象部分の横幅と同じ値に設定される。
【０１７６】
また、制御部２００は、一方の表示面に表示対象部分を表示している場合に、第２回転軸５２０の周りに電子機器１が時計回りに基準姿勢から１８０度回転すると、一枚の画像において表示対象部分を第３所定量だけ上方向に移動にして他方の表示面に表示する。第３所定量は、例えば、表示対象部分の縦幅と同じ値に設定される。
【０１７７】
また、制御部２００は、一方の表示面に表示対象部分を表示している場合に、第２回転軸５２０の周りに電子機器１が基準姿勢から反時計回りに１８０度回転すると、一枚の画像において表示対象部分を第４所定量だけ下方向に移動にして他方の表示面に表示する。第４所定量は、例えば、表示対象部分の縦幅と同じ値に設定される。なお、第１〜第４所定量の具体例は本例には限られない。また、基準姿勢の設定方法は上記と同じである。
【０１７８】
例えば、一枚の画像６２０において、一方の表示面に現在表示されている表示対象部分６３０が、図３５に示される領域６２１であるとする。この場合、第１回転軸５１０の周りに電子機器１が基準姿勢から時計回りに１８０度回転すると、領域６２１の左側の領域６２３が表示対象部分６３０として他方の表示面に表示される。また、第１回転軸５１０の周りに電子機器１が基準姿勢から反時計回りに１８０度回転すると、領域６２１の右側の領域６２２が表示対象部分６３０として他方の表示面に表示される。また、第２回転軸５２０の周りに電子機器１が基準姿勢から時計回りに１８０度回転すると、領域６２１の上側の領域６２５が表示対象部分６３０として他方の表示面に表示される。また、第２回転軸５２０の周りに電子機器１が基準姿勢から反時計回りに１８０度回転すると、領域６２１の下側の領域６２４が表示対象部分６３０として他方の表示面に表示される。
【０１７９】
図３６は、表示対象部分６３０が領域６２１から領域６２２に変更された様子を示す図である。図３６のように、領域６２２が表示対象部分６３０として一方の表示面に表示されている場合、第１回転軸５１０の周りに電子機器１が基準姿勢から時計回りに１８０度回転すると、領域６２２の左側の領域６２１が他方の表示面に表示される。また、第１回転軸５１０の周りに電子機器１が基準姿勢から反時計回りに１８０度回転すると、領域６２２の右側の領域６２６が他方の表示面に表示される。また、第２回転軸５２０の周りに電子機器１が基準姿勢から時計回りに１８０度回転すると、領域６２２の上側の領域６２８が他方の表示面に表示される。また、第２回転軸５２０の周りに電子機器１が基準姿勢から反時計回りに１８０度回転すると、領域６２２の下側の領域６２７が他方の表示面に表示される。
【０１８０】
ここで、領域６２１，６２２，６２６，６２３を、それぞれ、領域α１，α２，α３，α４とする。また、領域６２４，６２５をそれぞれ領域α６，α７とする。そして、領域６２１の左側に位置する、表示対象部分６３０と同じ大きさの領域を領域α５とする。領域α１〜α７は図３７のようになる。
【０１８１】
上述の図２２の例において一番左の電子機器１の表示面２１に領域α１が表示されている場合を考える。この場合、図２２の例と同様に、電子機器１が時計回りの第１回転を行うと、電子機器１の表示は図３８のようになる。図３８での左から３番目の電子機器１の表示面２２には領域α４が表示され、一番右の電子機器１の表示面２１には領域α５が表示される。
【０１８２】
また上述の図２３の例において、一番左の電子機器１の表示面２１に領域α１が表示されている場合を考える。この場合、図２３の例と同様に、電子機器１が反時計回りの第１回転を行うと、電子機器１の表示は図３９のようになる。図３９での左から３番目の電子機器１の表示面２２には領域α２が表示され、一番右の電子機器１の表示面２１には領域α３が表示される。
【０１８３】
このように、本例では、一枚の画像６２０において表示対象部分が第１回転に応じて左右方向に移動する。表示対象部分は、時計回りの第１回転に応じて左方向に移動し、反時計回りの第１回転に応じて右方向に移動する。
【０１８４】
また図４０に示されるように、上述の図２４の例において、左端の電子機器１の表示面２１に領域α１が表示されている場合を考える。この場合、図２４の例と同様に、電子機器１が時計回りの第２回転を行うと、図４０での右側の電子機器１のように、表示面２２には領域α７が表示される。
【０１８５】
また図４１に示されるように、上述の図２５の例において、左端の電子機器１の表示面２１に領域α１が表示されている場合を考える。この場合、図２５の例と同様に、電子機器１が反時計回りの第２回転を行うと、図４１での右側の電子機器１のように、表示面２２には領域α６が表示される。
【０１８６】
このように、本例では、一枚の画像６２０において表示対象部分が第２回転に応じて上下方向に移動する。表示対象部分は、時計回りの第２回転に応じて上方向に移動し、反時計回りの第２回転に応じて下方向に移動する。
【０１８７】
なお、制御部２００は、ウェブページ等を表示する対象表示面に対して所定操作が行われると、対象表示面の表示をスクロールしてもよい。例えば、制御部２００は、対象表示面に対して右方向のスライド操作あるいはフリック操作が行われると、対象表示面の表示を左方向にスクロールしてもよい。また、制御部２００は、対象表示面に対して左方向のスライド操作あるいは操作が行われると、対象表示面の表示を右方向にスクロールしてもよい。
【０１８８】
また、制御部２００は、第１回転に応じた表示対象部分の表示制御を実行しなくてもよい。また、制御部２００は、第２回転に応じた表示対象部分の表示制御を実行しなくてもよい。
【０１８９】
以上のように、本例では、電子機器１は、一枚の画像における表示対象部分が一方の表示面に表示されているときに生じる回転に応じて当該表示対象部分を変更して他方の表示面に表示する。このような回転に応じた表示対象部分の表示制御により、ユーザは、第１回転軸５１０あるいは第２回転軸５２０の周りに電子機器１を回転させることによって、一枚の画像において当該ユーザが確認したい領域を電子機器１に変更させることが可能になる。
【０１９０】
また、電子機器１の第１回転あるいは第２回転が行われる場合に、上述の非表示決定処理が実行されることによって、電子機器１は、ユーザにとって見やすい表示面に画像の一部を表示しつつ、ユーザにとって見にくい表示面を非表示状態にすることができる。
【０１９１】
また、本例では、一枚の画像６２０において表示対象部分が第１回転に応じて左右方向に移動する。したがって、ユーザは、表示面を操作して画面の表示を左右方向にスクロールさせる場合と同様に、電子機器１を第１回転させることによって、一枚の画像において当該ユーザが見る部分を電子機器１に左右方向に移動させることができる。
【０１９２】
また、本例では、一枚の画像６２０において表示対象部分が第２回転に応じて上下方向に移動する。したがって、ユーザは、表示面を操作して画面の表示を上下方向にスクロールさせる場合と同様に、電子機器１を第２回転させることによって、一枚の画像において当該ユーザが見る部分を電子機器１に上下方向に移動させることができる。
【０１９３】
なお、電子機器１がＳＤモードで動作する場合、制御部２００は、回転に応じて、表示状態の表示面２１の表示をスクロールしてもよい。つまり、制御部２００は、表示面２１に表示される表示対象部分を、一枚の画像において回転に応じて変更してもよい。以下に、電子機器１がＳＤモードで動作する場合の回転に応じた表示対象部分の表示制御について説明する。
【０１９４】
制御部２００は、一枚の画像の一部を表示面２１に表示している場合、第１回転軸５１０の周りに、電子機器１が基準姿勢から時計回りに３６０度回転すると、表示面２１の表示を左方向にスクロールする。つまり、制御部２００は、一枚の画像における表示対象部分が表示面２１に表示されている場合、第１回転軸５１０の周りに、電子機器１が基準姿勢から時計回りに３６０度回転すると、表示対象部分を一枚の画像において左方向に移動させて表示面２１に表示する。そして、制御部２００は、回転後の電子機器１の姿勢をあらたな基準姿勢とする。
【０１９５】
図４２は、電子機器１が第１回転軸５１０の周りに時計回りに３６０度回転する様子の一例を示す図である。図４２の例では、一番左の回転前の電子機器１の表示面２１には領域α１が表示されているものとする。
【０１９６】
一番左のＳＤモードの電子機器１が、第１回転軸５１０の周りに基準姿勢から時計回りに３６０度回転すると、表示面２１の表示が左方向にスクロールして、図４２の一番右に示されるように、電子機器１の表示面２１に領域α４が表示される。そして、電子機器１は、図４２の一番右に示される姿勢を、あらたな基準姿勢とする。その後、図４２の一番右に示される電子機器１が、第１回転軸５１０の周りに時計回りに３６０度回転すると、表示面２１の表示がさらに左方向にスクロールして、表示面２１には領域α５が表示される。
【０１９７】
また制御部２００は、一枚の画像の一部を表示面２１に表示している場合、第１回転軸５１０の周りに、電子機器１が基準姿勢から反時計回りに３６０度回転すると、表示面２１の表示を右方向にスクロールする。つまり、制御部２００は、一枚の画像における表示対象部分が表示面２１に表示されている場合、第１回転軸５１０の周りに、電子機器１が基準姿勢から反時計回りに３６０度回転すると、表示対象部分を一枚の画像において右方向に移動させて表示面２１に表示する。そして、制御部２００は、回転後の電子機器１の姿勢をあらたな基準姿勢とする。例えば、図４２の一番右に示される電子機器１が、第１回転軸５１０の周りに反時計回りに３６０度回転すると、表示面２１の表示が右方向にスクロールして、表示面２１に領域α１が表示される。
【０１９８】
また制御部２００は、一枚の画像の一部を表示面２１に表示している場合、第２回転軸５２０の周りに、電子機器１が基準姿勢から時計回りに３６０度回転すると、表示面２１の表示を上方向にスクロールする。つまり、制御部２００は、一枚の画像における表示対象部分が表示面２１に表示されている場合、第２回転軸５２０の周りに、電子機器１が基準姿勢から時計回りに３６０度回転すると、表示対象部分を一枚の画像において上方向に移動させて表示面２１に表示する。そして、制御部２００は、回転後の電子機器１の姿勢をあらたな基準姿勢とする。
【０１９９】
図４３は、電子機器１が第２回転軸５２０の周りに時計回りに３６０度回転する様子の一例を示す図である。図４３の例では、一番左の回転前の電子機器１の表示面２１には領域α１が表示されているものとする。
【０２００】
一番左のＳＤモードの電子機器１が、第２回転軸５２０の周りに基準姿勢から時計回りに３６０度回転すると、図４３の一番右に示されるように、電子機器１の表示面２１に、領域α１の上側の領域α７が表示される。そして、電子機器１は、図４３の一番右に示される姿勢を、あらたな基準姿勢とする。その後、図４３の一番右に示される電子機器１が、第２回転軸５２０の周りに時計回りに３６０度回転すると、表示面２１には、領域α７よりも上側の領域が表示される。
【０２０１】
また制御部２００は、一枚の画像の一部を表示面２１に表示している場合、第２回転軸５２０の周りに、電子機器１が基準姿勢から反時計回りに３６０度回転すると、表示面２１の表示を下方向にスクロールする。つまり、制御部２００は、一枚の画像における表示対象部分が表示面２１に表示されている場合、第２回転軸５２０の周りに、電子機器１が基準姿勢から反時計回りに３６０度回転すると、表示対象部分を一枚の画像において下方向に移動させて表示面２１に表示する。そして、制御部２００は、回転後の電子機器１の姿勢をあらたな基準姿勢とする。例えば、図４３の一番側に示される電子機器１が、第２回転軸５２０の周りに反時計回りに３６０度回転すると、表示面２１の表示が下方向にスクロールして、表示面２１に領域α１が表示される。
【０２０２】
このように、電子機器１がＳＤモードである場合、制御部２００は、第１回転あるいは第２回転に応じて、表示面２１の表示をスクロールする。これにより、ユーザは、電子機器１を第１回転軸５１０あるいは第２回転軸５２０の周りに回転させることによって、表示面２１の表示を電子機器１にスクロールさせることができる。よって、電子機器１の利便性が向上する。
【０２０３】
また、制御部２００は、第１回転に応じて表示面２１の表示を左右方向にスクロールし、第２回転に応じて表示面２１の表示を上下方向にスクロールする。これにより、ユーザは、電子機器１に対する簡単な操作で、電子機器１に、表示面２１の表示を上下方向にスクロールさせたり、表示面２１の表示を左右方向にスクロールさせたりすることができる。
【０２０４】
なお制御部２００は、電子機器１の第１回転に応じて表示面２１の表示をスクロールする処理を実行しなくてもよい。また、制御部２００は、電子機器１の第２回転に応じて表示面２１の表示をスクロールする処理を実行しなくてもよい。
【０２０５】
また、電子機器１が表示面２１及び２２のうち表示面２１だけを備えている場合であっても、制御部２００は、電子機器１がＳＤモードである場合と同様に、回転に応じて、表示面２１の表示をスクロールすることができる。
【０２０６】
今まで説明した回転に応じた表示制御の第１〜第３の例は、上述のぶら下げ型電子機器１及び耳装着型電子機器１において実行されることも可能である。つまり、回転に応じたページ表示制御、回転に応じたアプリ画面の表示制御及び回転に応じた表示対象部分の表示制御は、ぶら下げ型電子機器１及び耳装着型電子機器１においても実行されることが可能である。
【０２０７】
また、電子機器１は、動作モードとして、回転に応じたページ表示制御を行う第１動作モードと、回転に応じたアプリ画面の表示制御を行う第２動作モードと、回転に応じた表示対象部分の表示制御を行う第３動作モードとを有してもよい。この場合、電子機器１は、例えば、第１〜第３動作モードのうちユーザから指示される動作モードで動作してもよい。ユーザは、例えば、表示面２１あるいは表示面２２に対する操作を行うことによって、電子機器１が動作すべき動作モードを指定することができる。
【０２０８】
また、制御部２００は、情報表示領域２０がアプリ画面を表示している場合、電子機器１が第１回転を行うと、第１回転に応じたアプリ表示制御を行い、電子機器１が第２回転を行うと、第２回転に応じた表示対象部分の表示制御を行ってもよい。例えば、ＭＤモードの電子機器１の表示面２１がアプリ画面Ａの一部を表示対象部分として表示している場合を考える。この場合、制御部２００は、第１回転軸５１０の周りに電子機器１が時計回りに１８０度回転すると、アプリ画面Ｂを表示面２２に表示する。一方で、制御部２００は、第２回転軸５２０の周りに電子機器１が時計回りに１８０度回転すると、アプリ画面Ａにおいて表示対象部分を上方向に移動して表示面２２に表示する。
【０２０９】
また、制御部２００は、情報表示領域２０がアプリ画面を表示している場合、電子機器１が第１回転を行うと、第１回転に応じた表示対象部分の表示制御を行い、電子機器１が第２回転を行うと、第２回転に応じたアプリ画面の表示制御を行ってもよい。例えば、ＭＤモードの電子機器１の表示面２２がアプリ画面Ｂの一部を表示対象部分として表示している場合を考える。この場合、制御部２００は、第１回転軸５１０の周りに電子機器１が時計回りに１８０度回転すると、アプリ画面Ｂにおいて表示対象部分を左方向に移動して表示面２１に表示する。一方で、制御部２００は、第２回転軸５２０の周りに電子機器１が時計回りに１８０度回転すると、アプリ画面Ｃを表示面２１に表示する。
【０２１０】
同様に、制御部２００は、情報表示領域２０がページを表示している場合、電子機器１が第１回転を行うと、第１回転に応じたページ表示制御を行い、電子機器１が第２回転を行うと、第２回転に応じた表示対象部分の表示制御を行ってもよい。また、制御部２００は、情報表示領域２０がページを表示している場合、電子機器１が第１回転を行うと、第１回転に応じた表示対象部分の表示制御を行い、電子機器１が第２回転を行うと、第２回転に応じたページ表示制御を行ってもよい。
【０２１１】
＜電子機器の他の例＞
以下に、電子機器１についての複数の他の例について説明する。
【０２１２】
＜第１の他の例＞
図４４及び４５は、本例に係る電子機器１の外観を示す斜視図である。図４６は本例に係る電子機器１の電気的構成を主に示すブロック図である。以下に、本例に係る電子機器１について、上述の図１，２，６に示される電子機器１との相違点を中心に説明する。
【０２１３】
図４４に示されるように、本例に係る電子機器１の第３側面１１３には、各種情報を表示することか可能な表示面２３が位置している。また、図４５に示されるように、本例に係る電子機器１の第４側面１１４には、各種情報を表示することか可能な表示面２４が位置している。本例では、電源ボタン４０は、例えば、電子機器１の第１側面１１１に位置する。
【０２１４】
図４５に示されるように、本例に係る電子機器１は、表示面２３を含む表示部４７０と、表示面２４を含む表示部４８０と、タッチセンサ４１０と、タッチセンサ４２０とを備えている。
【０２１５】
表示部４７０は、表示面２３と、表示パネル４７１と、バックライト４７２とを備えている。表示部４８０は、表示面２４と、表示パネル４８１と、バックライト４８２とを備えている。表示パネル４７１及び４８１の構成及び動作は、上述の表示パネル２１１の構成及び動作と同じである。バックライト４７２及び４８２の構成及び動作は、上述のバックライト２１２の構成及び動作と同じである。表示部４７０は、バックライト４７２が点灯しているときに表示パネル４７１の各画素が制御部２００によって制御されることにより情報を表示することが可能である。同様に、表示部４７０は、バックライト４８２が点灯しているときに表示パネル４８１の各画素が制御部２００によって制御されることにより情報を表示することが可能である。制御部２００は、例えば、バックライト４７２及び４８２のそれぞれを個別に点灯させたり、消灯させたりすることが可能である。制御部２００は、表示面２１〜２４のそれぞれの表示を独立して制御することが可能である。
【０２１６】
なお、表示パネル４７１及び４８１の少なくとも一方は、液晶表示パネル以外の表示パネルであってもよい。例えば、表示パネル４７１は、有機ＥＬパネルなどの自発光型の表示パネルであってもよい。この場合には、バックライト４７２は不要になる。同様に、表示パネル４８１は、有機ＥＬパネルなどの自発光型の表示パネルであってもよい。この場合には、バックライト４８２は不要になる。
【０２１７】
以後、本例では、表示面２１〜２４を特に区別する必要が無い場合には、それぞれを表示面と呼ぶことがある。また、筐体１０の側面に位置する表示面２３，２４を特に区別する必要が無い場合には、それぞれを側面の表示面と呼ぶことがある。また、筐体１０の主面に位置する表示面２１，２２を特に区別する必要が無い場合には、それぞれを主面の表示面と呼ぶことがある。
【０２１８】
タッチセンサ４１０は、表示面２３に対する指等の操作子によるタッチ操作を検出することが可能である。タッチセンサ４２０は、表示面２４に対する指等の操作子によるタッチ操作を検出することが可能である。タッチセンサ４１０及び４２０の構成及び動作はタッチセンサ３１０と同様である。制御部２００は、タッチセンサ４１０からの電気信号に基づいて、表示面２３に対して行われた操作の内容を特定することが可能である。同様に、制御部２００は、タッチセンサ４２０からの電気信号に基づいて、表示面２４に対して行われた操作の内容を特定することが可能である。
【０２１９】
本例では、ＭＤモードにおいては、表示面２１及び２２だけではなく、表示面２３及び２４にも表示が行われる。本例に係る電子機器１がＭＤモードで動作する場合、制御部２００は、画面を表示するある表示面を上述の非表示決定処理により非表示状態にした場合、それに応じて、当該画面に関する情報を、当該ある表示面とは別の表示面に表示する。例えば、制御部２００は、ある画面を表示する表示面２２を非表示状態にすることに応じて、当該ある画面に関する情報を、表示面２３及び２４に表示する。また、制御部２００は、ある画面を表示する表示面２１を非表示状態にすることに応じて、当該ある画面に関する情報を、表示面２３及び２４に表示する。本例では、電子機器１において、上述の回転に応じた表示制御は実行されなくてもよい。
【０２２０】
以後、画面に関する情報を画面関連情報と呼ぶことがある。また、非表示状態に設定された表示面を、非表示設定表示面と呼ぶことがある。また、画面を表示する表示面が非表示状態にされた場合に、当該表示面から消去される当該画面を、消去画面と呼ぶことがある。画面関連情報には、例えば、消去画面を特定するための図形及び文字の少なくとも一方が含まれる。
【０２２１】
例えば、制御部２００は、表示面２１及び２２のうち、アプリ画面を表示している一方の表示面を非表示決定処理により非表示状態にした場合、当該アプリ画面についての画面関連情報を表示面２３及び２３に表示する。このとき、表示面２１及び２２のうちの他方の表示面の表示は、どのような表示であってもよい。アプリ画面の画面関連情報には、例えば、当該アプリ画面に対応するアプリケーションを示すアイコンが含まれてもよい。アイコンは図形の一種であると言える。また、アプリ画面の画面関連情報には、当該アプリ画面の内容を示す文字が含まれてもよい。
【０２２２】
図４７及び４８はアプリ画面の画面関連情報の表示例を示す図である。図４７には、メールアプリケーションについての受信メール一覧画面を表示している主面の表示面が非表示状態にされることに応じて表示面２３に表示される画面関連情報６５０の一例が示されている。図４８には、ブラウザが実行されている場合に、新聞記事のウェブページを表示している主面の表示面が非表示状態にされることに応じて表示面２３に表示される画面関連情報６６０の一例が示されている。
【０２２３】
図４７に示される画面関連情報６５０には、メールアプリケーションを示すアイコン６５１が含まれる。さらに、画面関連情報６５０には、非表示設定表示面が表示していた画面、つまり消去画面が受信メール一覧画面であることを示す文字列６５２が含まれる。画面関連情報６５０には、アイコン６５１及び文字列６５２の一方が含まれなくてもよい。
【０２２４】
図４８に示される画面関連情報６６０には、ブラウザを示すアイコン６６１が含まれる。さらに、画面関連情報６６０には、非表示設定表示面が表示していた画面、つまり消去画面が新聞記事のウェブページであることを示す文字列６６２が含まれる。画面関連情報６６０には、アイコン６６１及び文字列６６２の一方が含まれなくてもよい。
【０２２５】
なお、画面関連情報６５０には、消去画面の一部が含まれてもよい。また、表示面２３に表示される画面関連情報と、表示面２４に表示される画面関連情報は、同じであってもよいし、異なっていてもよい。例えば、表示面２３に図４７に示される画面関連情報６５０が表示される場合には、表示面２４には、アイコン６５１及び文字列６５２の両方が表示されてもよいし、アイコン６５１及び文字列６５２の一方だけが表示されてもよい。また、表示面２３及び２４のうちの一方だけに画面関連情報が表示されてもよい。また、画面関連情報は、非表示設定表示面とは別の主面の表示面に表示されてもよい。
【０２２６】
このように、本例では、制御部２００は、ある画面を表示する表示面を非表示状態にすることに応じて、当該ある画面に関する情報を別の表示面に表示する。言い換えれば、制御部２００は、ある画面を表示する表示領域を非表示状態にすることに応じて、当該ある画面に関する情報を別の表示領域に表示する。これにより、ユーザは、ある表示面が非表示状態にされた場合であっても、別の表示面を見ることによって、当該ある表示面が表示した画面を特定することが可能となる。よって、電子機器１の利便性が向上する。
【０２２７】
制御部２００は、画面関連情報を表示する側面の表示面に対して所定操作が行われると、非表示設定表示面とは別の主面の表示面に消去画面を表示してもよい。この所定操作としては、例えば、タップ操作、ダブルタップ操作あるいはロングタップ操作が採用される。例えば、図４７に示される表示面２３に対して所定操作が行われると、制御部２００は、非表示設定表示面（例えば表示面２２）とは別の主面の表示面（例えば表示面２１）に、消去画面である受信メール一覧画面を表示してもよい。また、図４７に示される画面関連情報６５０を表示する表示面２４に対して所定操作が行われると、制御部２００は、非表示設定表示面とは別の主面の表示面に受信メール一覧画面を表示してもよい。また、図４８に示される表示面２３に対して所定操作が行われると、制御部２００は、非表示設定表示面とは別の主面の表示面に、消去画面である新聞記事のウェブページを表示してもよい。また、図４８に示される画面関連情報６６０を表示する表示面２４に対して所定操作が行われると、制御部２００は、非表示設定表示面とは別の主面の表示面に新聞記事のウェブページを表示してもよい。制御部２００は、タッチセンサ４１０での検出結果に基づいて、表示面２３に対する所定操作を特定することができる。また、制御部２００は、タッチセンサ４２０での検出結果に基づいて、表示面２４に対する所定操作を特定することができる。
【０２２８】
このように、画面関連情報を表示する側面の表示面に対して所定操作が行われると、非表示設定表示面とは別の主面の表示面に消去画面が表示される場合には、ユーザは、画面関連情報を表示する側面の表示面を操作することによって、消去画面を確認することができる。よって、電子機器１の利便性がさらに向上する。
【０２２９】
＜第２の他の例＞
本例に係る電子機器１の構成は、上記の第１の他の例に係る電子機器１の構成と同様である。本例に係る電子機器１の制御部２００は、ある表示面を基準表示面とする。そして、制御部２００は、動作モードがＳＤモードであるのかＭＤモードであるのかにかかわらず、基準表示面がある画面を表示している場合、基準表示面とは別の表示面に対して所定操作が行われると、当該別の表示面に対応付けられた画面を、当該ある画面の替わりに基準表示面に表示することができる。この所定操作を画面切替操作と呼ぶことがある。画面切替操作としては、例えば、タップ操作、ダブルタップ操作あるいはロングタップ操作などが採用される。本例では、ＭＤモードでは、表示面２３及び２４の表示が行われてもよいし、行われなくてもよい。また本例では、電子機器１において、上述の回転に応じた表示制御は実行されなくてもよい。
【０２３０】
図４９は、電子機器１が複数のページから成るコンテンツを表示する場合の当該電子機器１の動作を説明するための図である。図４９に示されるように、本例では、制御部２００は、例えば、主面の表示面２１を基準表示面とする。そして、制御部２００は、基準表示面（つまり表示面２１）に表示されるページを基準ページとする。また制御部２００は、一方の側面の表示面２３に対して、基準ページよりも１つ次のページを割り当てる。また制御部２００は、他方の側面の表示面２４に対して、基準ページよりも１つ前のページを割り当てる。また制御部２００は、主面の表示面２２に対して、基準ページよりも２つ次のページを割り当てる。
【０２３１】
制御部２００は、タッチセンサ４１０での検出結果に基づいて、表示面２３に対する画面切替操作を特定すると、表示面２１（つまり基準表示面）に表示されている基準ページよりも１つ次のページを、基準ページの替わりに表示面２１に表示する。例えば、上述の図２１に示されるページ６００ａが表示面２１に表示されている場合、制御部２００は、表示面２３に対する画面切替操作を特定すると、ページ６００ａの替わりにページ６００ｂを表示面２１に表示する。そして、制御部２００は、表示面２３に対する画面切替操作を再度特定すると、ページ６００ｂの替わりにページ６００ｃを表示面２１に表示する。
【０２３２】
また制御部２００は、タッチセンサ４２０での検出結果に基づいて、表示面２４に対する画面切替操作を特定すると、表示面２１に表示されている基準ページよりも１つ前のページを、基準ページの替わりに表示面２１に表示する。例えば、ページ６００ｃが表示面２１に表示されている場合、制御部２００は、表示面２４に対する画面切替操作を特定すると、ページ６００ｃの替わりにページ６００ｂを表示面２１に表示する。そして、制御部２００は、表示面２４に対する画面切替操作を再度特定すると、ページ６００ｂの替わりにページ６００ａを表示面２１に表示する。
【０２３３】
また制御部２００は、タッチセンサ３２０での検出結果に基づいて、表示面２２に対する画面切替操作を特定すると、表示面２１に表示されている基準ページよりも２つ次のページを、基準ページの替わりに表示面２１に表示する。例えば、ページ６００ａが表示面２１に表示されている場合、制御部２００は、表示面２３に対する画面切替操作を特定すると、ページ６００ａの替わりにページ６００ｃを表示面２１に表示する。
【０２３４】
なお、制御部２００は、表示面２２に対して、基準ページよりも３つ以上次のページを割り当ててもよい。また、制御部２００は、表示面２２に対して、基準ページよりも複数ページ前のページを割り当ててもよい。
【０２３５】
以上のように制御部２００が動作することによって、ユーザは、表示面２３を操作することによって、電子機器１に、表示面２１に表示されるページを後のページに変化させることができる。また、ユーザは、表示面２４を操作することによって、電子機器１に、表示面２１に表示されるページを前のページに変化させることができる。また、ユーザは、表示面２２を操作することによって、電子機器１に、表示面２１に表示されるページを複数ページ変化させることができる。
【０２３６】
なお、制御部２００は、表示面２１にあるアプリ画面を表示している場合、表示面２１とは別の表示面に対して画面切替所定操作が行われると、当該別の表示面に対応付けられたアプリ画面を、当該あるアプリ画面の替わりに表示面２１に表示してもよい。以下にこの場合の電子機器１の動作の一例について説明する。
【０２３７】
制御部２００は、例えば、上述の図２８のように、複数種類のアプリ画面に対して順番を付与する。そして、制御部２００は、表示面２１に表示されるアプリ画面を基準アプリ画面とする。また、制御部２００は、表示面２３に対して、基準アプリ画面よりも１つ後の順番のアプリ画面を割り当て、表示面２４に対して、基準アプリ画面よりも１つ前の順番のアプリ画面を割り当てる。そして、制御部２００は、表示面２２に対して、基準アプリ画面よりも２つ後の順番のアプリ画面を割り当てる。
【０２３８】
制御部２００は、表示面２３に対する画面切替操作を特定すると、表示面２１に表示されている基準アプリ画面よりも１つ後の順番のアプリ画面を、基準アプリ画面の替わりに表示面２１に表示する。例えば、上述の図２８に示されるアプリ画面６１０ｂが表示面２１に表示されている場合、制御部２００は、表示面２３に対する画面切替操作を特定すると、アプリ画面６１０ｂの替わりにアプリ画面６１０ｃを表示面２１に表示する。
【０２３９】
また制御部２００は、表示面２４に対する画面切替操作を特定すると、表示面２１に表示されている基準アプリ画面よりも１つ前の順番のアプリ画面を、基準アプリ画面の替わりに表示面２１に表示する。例えば、アプリ画面６１０ｂが表示面２１に表示されている場合、制御部２００は、表示面２３に対する画面切替操作を特定すると、アプリ画面６１０ｂの替わりにアプリ画面６１０ａを表示面２１に表示する。
【０２４０】
また制御部２００は、表示面２２に対する画面切替操作を特定すると、表示面２１に表示されている基準アプリ画面よりも２つ後の順番のアプリ画面を、基準アプリ画面の替わりに表示面２１に表示する。例えば、アプリ画面６１０ａが表示面２１に表示されている場合、制御部２００は、表示面２３に対する画面切替操作を特定すると、アプリ画面６１０ａの替わりにアプリ画面６１０ｃを表示面２１に表示する。
【０２４１】
なお、制御部２００は、表示面２３に割り当てられた画面についての画面関連情報を表示面２３に表示してもよい。また、制御部２００は、表示面２４に割り当てられた画面についての画面関連情報を表示面２４に表示してもよい。表示面にページが割り当てられている場合には、当該ページについての画面関連情報には、当該ページの内容を示す情報が含まれてもよい。当該情報としては、例えば、ページの要約が採用される。また、表示面にアプリ画面が割り当てられている場合には、当該アプリ画面についての画面関連情報には、当該アプリ画面に対応するアプリケーションを示すアイコンが含まれてもよい。また、アプリ画面についての画面関連情報には、当該アプリ画面の内容を示す文字が含まれてもよい。
【０２４２】
上記の例では、基準表示面が表示面２１とされているが、他の表示面が基準表示面とされてもよい。例えば、表示面２２が基準表示面とされてもよい。また、上述の非表示決定処理が行われる場合には、表示面２１及び２２のうち、表示状態の表示面が基準表示面とされてもよい。また、基準表示面以外の表示面に対する画面の割り当て方法は上記の例に限られない。
【０２４３】
以上のように、本例では、制御部２００が、ある画面を基準表示面に表示している場合、基準表示面とは別の表示面に対して所定操作が行われると、当該別の表示面に対応付けられた画面を、当該ある画面の替わりに基準表示面に表示する。これにより、ユーザは、基準表示面に表示される画面を、基準表示面とは別の表示面を操作することによって、電子機器１に変更させることができる。よって、電子機器１の利便性が向上する。
【０２４４】
また、表示面に割り当てられた画面についての画面関連情報が当該表示面に表示される場合は、ユーザは、表示面に表示される画面関連情報を見ることによって、当該表示面に割り当てられた画面を容易に特定することが可能となる。つまり、ユーザは、基準表示面以外の表示面を操作した場合に、基準表示面に表示される画面を容易に特定することができる。その結果、電子機器１の利便性が向上する。
【０２４５】
＜第３の他の例＞
図５０は本例に係る電子機器１の外観を示す斜視図である。以下に、本例に係る電子機器１について、上述の図１，２，６に示される電子機器１との相違点を中心に説明する。以後、本例に係る電子機器１を電子機器１Ａと呼ぶことがある。
【０２４６】
図５０に示されるように、電子機器１Ａの外形は円柱状を成している。電子機器１Ａは、上述の表示部２１０及び２２０の替わりに表示部７１０を備えている。表示部７１０は例えば、有機ＥＬディスプレイなどの自発光型の表示装置である。表示部７１０は、各種情報を表示することが可能な情報表示領域７１１を備える。情報表示領域７１１は、電子機器１の周面７００に位置する。情報表示領域７１１は筒状曲面を成している。情報表示領域７１１は、電子機器１Ａの周囲を１周取り囲むように存在している。情報表示領域７１１は、筒状の表示面であるとも言える。円柱状の電子機器１Ａの一対の端面７０１及び７０１の形状は、真円であってもよいし、楕円であってもよい。
【０２４７】
また電子機器１Ａは、上述のタッチセンサ３１０及び３２０の替わりに、情報表示領域７１１に対する指等の操作子によるタッチ操作を検出することが可能なタッチセンサを備える。電子機器１Ａが有するタッチセンサの構成及び動作はタッチセンサ３１０と同様である。制御部２００は、タッチセンサからの電気信号に基づいて、情報表示領域７１１に対して行われた操作の内容を特定することが可能である。ユーザは、電子機器１Ａを例えば片手で持った状態で、情報表示領域７１１に対して操作することが可能である。
【０２４８】
電子機器１Ａでは、電源ボタン４０は例えば端面７０１に位置する。また、近接センサ３５０及び照度センサ３６０は電子機器１Ａの周面７００に位置する。
【０２４９】
以後、単に周方向と言えば、電子機器１の周方向、言い換えれば、情報表示領域７１１が成す筒状曲面の周方向を意味する。
【０２５０】
電子機器１Ａの制御部２００は、情報表示領域７１１を周方向に沿って複数の表示領域７３０に分割する。制御部２００は、複数の表示領域７３０のそれぞれの表示を独立して制御することが可能である。
【０２５１】
図５１は、情報表示領域７１１の分割例を示す図である。図５１に示されるように、制御部２００は、情報表示領域７１１を周方向に沿って、例えば、４つの表示領域７３０ａ〜７３０ｄに均等に分割する。表示領域７３０ａ及び７３０ｃは互い対向しており、表示領域７３０ｃ及び７３０ｄは互いに対向している。電子機器１Ａを端面７０２側から見た場合、表示領域７３０ａ、表示領域７３０ｃ、表示領域７３０ｂ及び７３０ｄは、この順で時計回りで周方向に沿って並んでいる。
【０２５２】
制御部２００は、複数の表示領域７３０のそれぞれに同じ画面を表示したり、異なる画面を表示したりすることが可能である。また制御部２００は、複数の表示領域７３０を一つの大きな表示領域とし、当該大きな表示領域に一つの画面を表示することができる。また制御部２００は、複数の表示領域７３０のそれぞれについて、当該表示領域７３０を表示状態にしたり、非表示状態にしたりすることができる。
【０２５３】
＜非表示状態の決定方法＞
本例では、制御部２００は、情報表示領域７１１に対する物体の接触あるいは近接の状況に基づいて、複数の表示領域７３０のそれぞれについて非表示状態にするか否かを決定する。具体的には、制御部２００は、表示領域７３０に対する物体の接触あるいは近接の状況に基づいて、当該表示領域７３０を非表示状態にするか否かを決定する第２非表示決定処理を行う。本例では、表示領域７３０は、非表示状態にすると決定されない限り、表示状態であるとする。以後、説明の対象の表示領域７３０を対象表示領域７３０と呼ぶことがある。
【０２５４】
図５２は、第２非表示決定処理の一例を示すフローチャートである。制御部２００は、複数の表示領域７３０のそれぞれについて、図５３に示される第２非表示決定処理を繰り返し実行する。
【０２５５】
図５２に示されるように、ステップｓ１１において、制御部２００は、タッチセンサでの検出結果を取得する。次にステップｓ１２において、制御部２００は、取得した検出結果に基づいて、対象表示領域７３０に対する物体の接触の状況を特定する。例えば、制御部２００は、取得した検出結果に基づいて、対象表示領域７３０において物体が接触している領域の面積を求める。以後、当該面積を第２物体接触面積と呼ぶことがある。
【０２５６】
次にステップｓ１３において、制御部２００は、ステップｓ１２で取得した第２物体接触面積に基づいて、対象表示領域７３０を非表示状態にするか否かを決定する。ステップｓ１３では、制御部２００は、第２物体接触面積がしきい値以上である場合、対象表示領域７３０を非表示状態にすることを決定する。これにより、対象表示領域７３０は非表示状態に設定される。一方で、制御部２００は、第２物体接触面積がしきい値未満である場合、対象表示領域７３０を非表示状態にしないことを決定する。これにより、対象表示領域７３０は表示状態が維持される。
【０２５７】
以上のような第２非表示決定処理が複数の表示領域７３０のそれぞれについて実行されることによって、電子機器１は、複数の表示領域７３０のうち、人が見る可能性が高い表示領域７３０を表示状態とし、人が見る可能性が低い表示領域７３０を非表示状態にすることができる。これにより、電子機器１の利便性を維持しつつ、電子機器１の消費電力を低減することができる。
【０２５８】
例えば、図５３のように、ユーザが片方の手５００で電子機器１Ａを持つ場合を考える。図５３の例では、ユーザが見る可能性が低い表示領域７３０ｂ，７３０ｃ，７３０ｄのそれぞれでは、広い範囲において手５００が接触する可能性が高い。一方で、ユーザが見る可能性が高い表示領域７３０ａでは、手５００が接触する範囲が狭くなる可能性が高い。したがって、図５３の例では、ユーザが見ない可能性が高い表示領域７３０ｂ，７３０ｃ，７３０ｄが非表示状態となり、ユーザが見る可能性が高い表示領域７３０ａが表示状態となる。
【０２５９】
なお、電子機器１Ａが、複数の表示領域７３０のそれぞれについて、当該表示領域７３０に近接あるいは接触する物体を検出する近接センサ３５０を備える場合には、制御部２００は、表示領域７３０についての第２非表示決定処理において近接センサ３５０での検出結果を使用してもよい。近接センサ３５０での検出結果を使用した第２非表示決定処理を、近接センサを使用した第２非表示決定処理と呼ぶことがある。また、図５２に示されるタッチセンサでの検出結果を使用した第２非表示決定処理を、タッチセンサを使用した第２非表示決定処理と呼ぶことがある。
【０２６０】
ここで、対象表示領域７３０に近接あるいは接触する物体を検出する近接センサ３５０を対象近接センサ３５０と呼ぶと、近接センサを使用した第２非表示決定処理の内容は、上述の近接センサを使用した非表示決定処理の説明において、対象表示面を対象表示領域７３０とし、対象近接センサを対象近接センサ３５０にした内容と同じとなる。
【０２６１】
また、電子機器１Ａが、複数の表示領域７３０のそれぞれについて、当該表示領域７３０の周辺の照度を検出する照度センサ３６０を備える場合には、制御部２００は、第２非表示決定処理において照度センサ３６０での検出結果を使用してもよい。照度センサ３６０での検出結果を使用した第２非表示決定処理を、照度センサを使用した第２非表示決定処理と呼ぶことがある。
【０２６２】
ここで、対象表示領域７３０の周辺の照度を検出する照度センサ３６０を対象照度センサ３６０と呼ぶと、照度センサを使用した第２非表示決定処理の内容は、上述の照度センサを使用した非表示決定処理の説明において、対象表示面を対象表示領域７３０とし、対象照度センサを対象照度センサ３６０にした内容と同じとなる。
【０２６３】
このように、第２非表示決定処理において、近接センサあるいは照度センサでの検出結果が使用されることによって、電子機器１Ａは、タッチセンサでは検出することが難しい物体が表示領域７３０に近接あるいは接触する場合であっても、当該表示領域７３０を非表示状態に設定することができる。例えば、表示領域７３０ｂが下側にして電子機器１Ａが机の上に置かれる場合には、電子機器１は、人が見る可能性が低い表示領域７３０ｂを非表示状態にすることができる。
【０２６４】
また、制御部２００は、タッチセンサを使用した第２非表示決定処理、近接センサを使用した第２非表示決定処理及び照度センサを使用した第２非表示決定処理の少なくとも２種類の第２非表示決定処理を、対象表示領域７３０を非表示状態にするか否かの暫定的な決定処理として実行し、当該暫定的な決定処理の結果に基づいて、対象表示領域７３０を非表状態にするか否かを最終決定してもよい。この場合、制御部２００は、暫定的な決定処理として実行される複数種類の第２非表示決定処理の少なくとも一種類の第２非表示決定処理において、対象表示領域７３０を非表示状態にすることを決定すると、対象表示領域７３０を非表示状態にすることを最終決定する。一方で、制御部２００は、暫定的な決定処理として実行する複数種類の第２非表示決定処理のすべてにおいて、対象表示領域７３０を非表示状態にしないことを決定すると、対象表示領域７３０を非表示状態にしないことを最終決定する。
【０２６５】
また、制御部２００は、複数の表示領域７３０のうちの一つの表示領域７３０だけについて、それに物体が接触あるいは近接していると判定した場合には、第２非表示決定処理の結果にかかわらず、当該一つの表示領域７３０に対向する表示領域７３０以外の各表示領域７３０を非表示状態に設定してもよい。以後、この処理を、第３非表示決定処理と呼ぶことがある。制御部２００は、対象表示領域７３０に物体が接触あるいは近接していることを、上述のように、対象近接センサ３５０での検出結果、あるいは対象照度センサ３６０での検出結果に基づいて特定することができる。
【０２６６】
第３非表示決定処理において、制御部２００が、複数の表示領域７３０ａ〜７３０ｄのうち、例えば表示領域７３０ｂだけについて、それに物体が接触あるいは近接していると判定した場合を考える。この場合、制御部２００は、表示領域７３０ｂに対向する表示領域７３０ａ以外の表示領域７３０ｂ，７３０ｃ，７３０ｄのそれぞれを非表示状態に設定する。他の例として、制御部２００が、複数の表示領域７３０ａ〜７３０ｄのうち、表示領域７３０ｃだけについて、それに物体が接触あるいは近接していると判定した場合を考える。この場合、制御部２００は、表示領域７３０ｃに対向する表示領域７３０ｄ以外の表示領域７３０ａ，７３０ｂ，７３０ｃのそれぞれを非表示状態に設定する。
【０２６７】
このような第３非表示決定処理が実行されることによって、電子機器１Ａが机の上に置かれた場合、机と接触している表示領域７３０と対向する表示領域７３０以外の各表示領域７３０が非表示状態とされる。例えば、図５４に示されるように、表示領域７３０ｂが下側にされて電子機器１Ａが机７５０に置かれている場合を考える。この場合、表示領域７３０ｂが机７５０と接触していることから、表示領域７３０ｂ，７３０ｃ，７３０ｄが非表示状態とされ、上側に位置する表示領域７３０ａが表示状態となる。よって、表示領域７３０ｂが下側となって電子機器１Ａが机の上に置かれている場合、複数の表示領域７３０ａ〜７３０ｄのうち、上側に位置する表示領域７３０ａだけが、つまりユーザが見る可能性が高い表示領域７３０ａだけが表示状態となる。よって、ユーザは、電子機器１Ａを机の上から持ち上げたり、電子機器１Ａの姿勢を変えたりすることなく、電子機器１Ａの表示を確認することが可能となる。第３非表示決定処理の実行により、いずれの表示領域７３０が下側となって電子機器１Ａが机の上に置かれているとしても、ユーザが見る可能性が高い上側の表示領域７３０を表示状態としつつ、ユーザが見る可能性が低い他の表示領域７３０を非表示状態とすることができる。例えば、机の上に置かれた電子機器１Ａがユーザに対して通知を行う場合には、ユーザが見る可能性が高い上側の表示領域７３０に通知情報が表示される。通知情報としては、例えば、電話通信あるいは電子メール通信の着信を通知する情報が含まれる。
【０２６８】
以上のような第２非表示決定処理あるいは第３非表示決定処理が実行されることにより、電子機器１Ａは、情報表示領域７１１内での表示状態である領域の位置を、電子機器１の周方向の回転に応じて、電子機器１の周方向に沿って移動させることができる。以後、単に周方向回転と言えば、電子機器１Ａの周方向の回転を意味する。また、時計回りの周方向回転と言えば、図５５のように、電子機器１を端面７０２側から見た場合の周方向の時計回りの回転７２１を意味する。また、反時計回りの周方向回転と言えば、図５５のように、電子機器１を端面７０２側から見た場合の周方向の反時計回りの回転７２２を意味する。
【０２６９】
例えば、上述の図５３のように、ユーザが、片側の手５００で電子機器１Ａを持った状態で電子機器１Ａを反時計回りに周方向回転させる場合を考える。図５６は、電子機器１Ａが反時計回りに周方向回転する様子の一例を示す図である。図５６の例では、表示状態の表示領域７３０は画面７６０を表示している。
【０２７０】
図５６の一番左に示される電子機器１Ａが図５３のようにユーザの手５００で持たれた場合、上述の第２非表示決定処理の実行により、表示領域７３０ａが表示状態となり、表示領域７３０ｂ〜７３０ｄが非表示状態となる。この電子機器１Ａが反時計回りに９０度周方向回転すると、図５６の左から２番目の電子機器１Ａが得られる。この電子機器１Ａがユーザの手５００で持たれた場合、表示領域７３０ｃが表示状態となり、表示領域７３０ａ，７３０ｂ，７３０ｄが非表示状態となる。図５６の例では、情報表示領域７１１において、表示状態である領域が、表示領域７３０ａから表示領域７３０ｃに変化していることから、情報表示領域７１１では、電子機器１Ａの周方向回転に応じて、表示状態である領域の位置が周方向に沿って移動していると言える。
【０２７１】
図５６の左から２番目の電子機器１Ａが反時計回りに９０度周方向回転すると、図５６の左から３番目の電子機器１Ａが得られる。この電子機器１Ａがユーザの手５００で持たれた場合、表示領域７３０ｂが表示状態となり、表示領域７３０ａ，７３０ｃ，７３０ｄが非表示状態となる。この電子機器１Ａが反時計回りに９０度周方向回転すると、図５６の一番右の電子機器１Ａが得られる。この電子機器１Ａが図５３のようにユーザの手５００で持たれた場合、表示領域７３０ｄが表示状態となり、表示領域７３０ａ〜７３０ｃが非表示状態となる。
【０２７２】
このように、図５６の例では、情報表示領域７１１での表示状態である領域が、反時計回りの周方向回転に応じて、表示領域７３０ａ、表示領域７３０ｃ、表示領域７３０ｂ、表示領域７３０ｄと順に変化する。つまり、端面７０２側から見た場合において、情報表示領域７１１では、表示状態である領域の位置が、反時計回りの周方向回転に応じて、時計回りに移動している。これにより、電子機器１Ａが反時計回りの周方向回転を行う場合であっても、複数の表示領域７３０のうち、ユーザが見る可能性が高い表示領域７３０だけが表示状態とされる。図５３のようにユーザの手５００に持たれた電子機器１Ａが時計回りの周方向回転を行う場合には、端面７０２側から見た場合において、情報表示領域７１１では、表示状態である領域の位置が反時計回りに移動する。
【０２７３】
また、電子機器１Ａが机の上で周方向回転する場合には、上述の第３非表示決定処理の実行によって、情報表示領域７１１では表示状態である領域の位置が周方向に沿って移動する。具体的には、電子機器１Ａが机の上で反時計回りの周方向回転を行う場合には、図５６と同様に、端面７０２側から見た場合において、情報表示領域７１１では、表示状態である領域の位置が時計回りに移動する。また、電子機器１Ａが机の上で時計回りの周方向回転を行う場合には、端面７０２側から見た場合において、情報表示領域７１１では、表示状態である領域の位置が反時計回りに移動する。
【０２７４】
以上のように、電子機器１Ａでは、情報表示領域７１１での表示状態である領域の位置が、電子機器１Ａの周方向回転に応じて、電子機器１の周方向に沿って移動することから、情報表示領域７１１のうち、ユーザにとって見やすい場所に情報を表示することが可能となる。よって、電子機器１の利便性が向上する。以下の説明では、特に断らない限り、情報表示領域７１１での表示状態である領域の位置が、周方向回転に応じて、周方向に沿って移動するものとする。また、表示状態領域と言えば、情報表示領域７１１での表示状態である領域を意味する。
【０２７５】
なお、制御部２００は、対象表示領域７３０を非表示状態にするか否かの決定において、タッチセンサでの検出結果を使用しない場合には、対象表示領域７３０を非表示状態にすることを決定したとき、対象表示領域７３０に対する操作を検出する機能を停止してもよい。これにより、人が見ない可能性が高い表示領域７３０に対する操作を電子機器１が検出する可能性を低減することができる。
【０２７６】
また、制御部２００は、対象表示領域７３０に接触あるいは近接する物体を近接センサが検出すると、対象表示領域７３０を非表示状態にする替わりに、対象表示領域７３０に対する操作を検出する機能を停止してもよい。また、制御部２００は、照度センサで検出される、対象表示領域７３０の周囲の明るさがしきい値以下の場合、対象表示領域７３０を非表示状態にする替わりに、対象表示領域７３０に対する操作を検出する機能を停止してもよい。
【０２７７】
＜表示状態である領域についての周方向回転に応じた表示制御＞
電子機器１Ａは、表示状態領域の表示を、電子機器１Ａの周方向回転に応じて変化させることが可能である。この表示制御を、周方向回転に応じた表示制御と呼ぶことがある。
【０２７８】
電子機器１Ａの制御部２００は、時計回りの周方向回転に応じて、表示状態領域の表示を変化させることができる。また制御部２００は、反時計回りの周方向回転に応じて、表示状態領域の表示を変化させることができる。以下に、周方向回転に応じた表示制御の複数の例について説明する。
【０２７９】
＜周方向回転に応じた表示制御の第１の例＞
本例では、制御部２００は、複数のページ６００から成るコンテンツを情報表示領域７１１に表示する場合、周方向回転に応じて、表示状態領域に表示されるページ６００を変更する。この表示制御を、周方向回転に応じたページ表示制御と呼ぶことがある。
【０２８０】
例えば、制御部２００は、あるページ６００が表示状態領域に表示されている場合に、周方向に電子機器１Ａが基準姿勢から反時計回りに９０度回転すると、当該あるページ６００の次のページ６００を表示状態領域に表示する。制御部２００は、最後のページ６００ｃが表示状態領域に表示されている場合に、周方向に電子機器１Ａが基準姿勢から反時計回りに９０度回転すると、表示状態領域に先頭のページ６００ａを表示してもよいし、最後のページ６００ｃを表示してもよい。基準姿勢の決定方法は上記と同様である。
【０２８１】
一方で、制御部２００は、あるページ６００が表示状態領域に表示されている場合に、周方向に電子機器１Ａが基準姿勢から時計回りに９０度回転すると、当該あるページ６００の前のページ６００を表示状態領域に表示する。制御部２００は、最初のページ６００ａが表示状態領域に表示されている場合に、周方向に、電子機器１Ａが基準姿勢から時計回りに９０度回転すると、表示状態領域に最後のページ６００ｃを表示してもよいし、最初のページ６００ａを表示してもよい。
【０２８２】
図５７は、電子機器１Ａが反時計回りの周方向回転を行う様子の一例を示す図である。図５７の例では、電子機器１Ａは、上述の図５３のようにユーザの手５００で持たれた状態で、反時計回りの周方向回転を行うものとする。また、一番左の回転前の電子機器１では、表示領域７３０ａが表示状態領域７４０となっており、表示領域７３０ａにはページ６００ａ（言い換えればページ１）が表示されているものとする。
【０２８３】
一番左の電子機器１Ａが、周方向に基準姿勢から反時計回りに９０度回転すると、図５７の左から２番目に示される電子機器１Ａが得られる。この電子機器１Ａでは、表示状態領域７４０が表示領域７３０ｃとなり、表示状態領域７４０に、ページ６００ａの一つの次のページ６００ｂ（つまりページ２）が表示される。そして、制御部２００は、図５７の左から２番目に示される姿勢を、あらたな基準姿勢とする。その後、図５７の左から２番目に示される電子機器１Ａが、周方向に基準姿勢から反時計回りに９０度回転すると、図５７の左から３番目に示される電子機器１Ａが得られる。この電子機器１Ａでは、表示状態領域７４０が表示領域７３０ｂとなり、表示状態領域７４０に、ページ６００ｂの一つの次のページ６００ｃ（つまりページ３）が表示される。そして、制御部２００は、図５７の左から３番目に示される姿勢を、あらたな基準姿勢とする。その後、図５７の左から３番目の電子機器１Ａが、周方向に基準姿勢から反時計回りに９０度回転すると、図５７の一番右に示される電子機器１Ａが得られる。この電子機器１Ａでは、表示状態領域７４０が表示領域７３０ｄとなり、表示状態領域７４０に、例えば最初のページ６００ａが表示される。そして、制御部２００は、図５７の一番右に示される姿勢を、あらたな基準姿勢とする。
【０２８４】
図５８は、電子機器１Ａが時計回りの周方向回転を行う様子の一例を示す図である。図５８の例では、電子機器１Ａは、上述の図５３のようにユーザの手５００で持たれた状態で、時計回りの周方向回転を行うものとする。また、一番左の回転前の電子機器１では、表示領域７３０ａが表示状態領域７４０となっており、表示領域７３０ａにはページ６００ｃ（言い換えればページ３）が表示されているものとする。
【０２８５】
一番左の電子機器１Ａが、周方向に基準姿勢から時計回りに９０度回転すると、図５８の左から２番目に示される電子機器１Ａが得られる。この電子機器１Ａでは、表示状態領域７４０が表示領域７３０ｄとなり、表示状態領域７４０に、ページ６００ｃの一つの前のページ６００ｂ（つまりページ２）が表示される。そして、制御部２００は、図５８の左から２番目に示される姿勢を、あらたな基準姿勢とする。その後、図５８の左から２番目に示される電子機器１Ａが、周方向に基準姿勢から時計回りに９０度回転すると、図５８の左から３番目に示される電子機器１Ａが得られる。この電子機器１Ａでは、表示状態領域７４０が表示領域７３０ｂとなり、表示状態領域７４０に、ページ６００ｂの一つの前のページ６００ａ（つまりページ１）が表示される。そして、制御部２００は、図５８の左から３番目に示される姿勢を、あらたな基準姿勢とする。その後、図５８の左から３番目の電子機器１Ａが、周方向に基準姿勢から時計回りに９０度回転すると、図５８の一番右に示される電子機器１Ａが得られる。この電子機器１Ａでは、表示状態領域７４０が表示領域７３０ｃとなり、表示状態領域７４０に、例えば最後のページ６００ｃが表示される。そして、制御部２００は、図５８の一番右に示される姿勢を、あらたな基準姿勢とする。
【０２８６】
なお、あるページが表示状態領域に表示されている場合に、電子機器１Ａが周方向に反時計回りに９０度回転すると、当該あるページよりも複数ページ後のページが表示状態領域に表示されてもよい。同様に、あるページが表示状態領域に表示されている場合に、電子機器１Ａが周方向に時計回りに９０度回転すると、当該あるページよりも複数ページ前のページが表示状態領域に表示されてもよい。
【０２８７】
また、あるページが表示状態領域に表示されている場合に、電子機器１Ａが周方向に基準姿勢から反時計回りに９０度回転した場合には表示状態領域の表示を変更せずに、電子機器１Ａが周方向に基準姿勢から反時計回りに１８０度回転すると、当該あるページよりも少なくとも１ページ後のページが表示状態領域に表示されてもよい。同様に、あるページが表示状態領域に表示されている場合に、電子機器１Ａが周方向に基準姿勢から反時計回りに９０度回転した場合には表示状態領域の表示を変更せずに、電子機器１Ａが周方向に基準姿勢から時計回りに１８０度回転すると、当該あるページよりも少なくとも１ページ前のページが表示状態領域に表示されてもよい。
【０２８８】
また、制御部２００は、あるページを対象表示領域７３０に表示している場合に、対象表示領域７３０に対して所定操作が行われると、当該あるページとは異なるページを対象表示領域７３０に表示してもよい。
【０２８９】
以上のように、本例に係る電子機器１Ａは、周方向回転に応じて、表示状態領域の表示を変化させる。これにより、ユーザは、電子機器１Ａを周方向に回転させることによって、電子機器１Ａに表示状態領域の表示を変化させることができる。よって、電子機器1の利便性が向上する。
【０２９０】
また、本例では、電子機器１Ａは、周方向回転に応じて表示状態領域に表示されるページが変更される。これにより、ユーザは、電子機器１Ａを周方向に回転させることによって、表示状態領域に表示されるページを電子機器１Ａに変更させることができる。
【０２９１】
＜周方向回転に応じた表示制御の第２の例＞
本例では、制御部２００は、周方向回転に応じて、表示状態領域に表示されるアプリ画面の種類を変更することができる。以後、この表示制御を、周方向回転に応じたアプリ画面の表示制御と呼ぶことがある。
【０２９２】
制御部２００は、上述の回転に応じたアプリ画面の表示制御を行う場合と同様に、複数のアプリケーションを実行している場合、当該複数のアプリケーションにそれぞれ対応する複数種類のアプリ画面に対して、周方向回転に応じたアプリ画面の表示制御のための順番を付与する。
【０２９３】
制御部２００は、上述の図２８に示されるあるアプリ画面６１０が表示状態領域に表示されている場合に、周方向に電子機器１Ａが基準姿勢から反時計回りに９０度回転すると、当該あるアプリ画面６１０の次の順番のアプリ画面６１０を表示状態領域に表示する。制御部２００は、最後の順番のアプリ画面６１０ｃが表示状態領域に表示されている場合に、周方向に電子機器１Ａが基準姿勢から時計回りに９０度回転すると、表示状態領域に最初の順番のアプリ画面６１０ａを表示してもよいし、最後の順番のアプリ画面６１０ｃを表示してもよい。
【０２９４】
一方で、制御部２００は、あるアプリ画面６１０が表示状態領域に表示されている場合に、周方向に電子機器１Ａが基準姿勢から時計回りに９０度回転すると、当該あるアプリ画面６１０の前の順番のアプリ画面６１０を表示状態領域に表示する。制御部２００は、最初の順番のアプリ画面６１０ａが表示状態領域に表示されている場合に、周方向に電子機器１Ａが基準姿勢から時計回りに９０度回転すると、表示状態領域に最後の順番のアプリ画面６１０ｃを表示してもよいし、最初の順番のアプリ画面６１０ａを表示してもよい。
【０２９５】
ここで、上述の図５７の例において一番左の電子機器１Ａの表示状態領域７４０（言い換えれば表示領域７３０ａ）にアプリ画面６１０ａ（つまりアプリ画面Ａ）が表示されているとする。この場合、図５７の例と同様に、電子機器１Ａが反時計回りの周方向回転を行うと、電子機器１Ａの表示状態領域７４０の表示は図５９のようになる。図５９での左から２番目の電子機器１Ａの表示状態領域７４０にはアプリ画面６１０ｂ（つまりアプリ画面Ｂ）が表示される。図５９での左から３番目の電子機器１Ａの表示状態領域７４０にはアプリ画面６１０ｃ（つまりアプリ画面Ｃ）が表示される。図５９での一番右の電子機器１Ａの表示状態領域７４０には例えばアプリ画面６１０ａが表示される。
【０２９６】
また上述の図５８の例において、一番左の電子機器１Ａの表示状態領域７４０にアプリ画面６１０ｃ（言い換えればアプリ画面Ｃ）が表示されているとする。この場合、図５８の例と同様に、電子機器１が時計回りの周方向回転を行うと、電子機器１Ａの表示状態領域７４０の表示は図６０のようになる。図６０での左から２番目の電子機器１Ａの表示状態領域７４０にはアプリ画面６１０ｂが表示される。図６０での左から３番目の電子機器１Ａの表示状態領域７４０にはアプリ画面６１０ａが表示される。図６０での一番右の電子機器１Ａの表示状態領域７４０には例えばアプリ画面６１０ｃが表示される。
【０２９７】
このように、本例では、電子機器１Ａは、周方向回転に応じて、表示状態領域７４０に表示されるアプリ画面の種類を変更する。これにより、ユーザは、電子機器１Ａを周方向に回転させることによって、表示状態領域に表示されるアプリ画面の種類を電子機器１Ａに変更させることができる。
【０２９８】
なお、制御部２００は、あるアプリ画面が表示状態領域に表示されている場合に、電子機器１Ａが周方向に基準姿勢から反時計回りに９０度回転した場合には表示状態領域の表示を変更せずに、電子機器１Ａが周方向に基準姿勢から反時計回りに１８０度回転すると、当該あるアプリ画面よりも後の順番のアプリ画面を表示状態領域に表示してもよい。同様に、制御部２００は、あるアプリ画面が表示状態領域に表示されている場合に、電子機器１Ａが周方向に基準姿勢から時計回りに９０度回転した場合には表示状態領域の表示を変更せずに、電子機器１Ａが周方向に基準姿勢から時計回りに１８０度回転すると、当該あるアプリ画面よりも前の順番のアプリ画面を表示状態領域に表示してもよい。
【０２９９】
また、制御部２００は、あるアプリ画面を対象表示領域７３０に表示している場合に、対象表示領域７３０に対して所定操作が行われると、当該あるアプリ画面とは異なる種類のアプリ画面を対象表示領域７３０に表示してもよい。
【０３００】
＜周方向回転に応じた表示制御の第３の例＞
本例では、制御部２００は、一枚の画像の一部である表示対象部分を表示状態領域に表示する場合、周方向回転に応じて表示対象部分を変更して表示状態領域に表示することができる。以後、この表示制御を、周方向回転に応じた表示対象部分の表示制御と呼ぶことがある。
【０３０１】
例えば、制御部２００は、電子機器１の反時計回りの周方向回転に応じて、表示状態領域に表示する表示対象部分を一枚の画像において右方向に移動させる。一方で、制御部２００は、電子機器１の時計回りの周方向回転に応じて、表示状態領域に表示する表示対象部分を一枚の画像において左方向に移動させる。
【０３０２】
具体的には、制御部２００は、周方向に電子機器１Ａが基準姿勢から反時計回りに９０度回転すると、表示対象部分を右方向に第５所定量だけ移動させて表示状態領域に表示する。第５所定量は、例えば、表示対象部分の横幅と同じ値に設定される。一方で、制御部２００は、周方向に電子機器１Ａが基準姿勢から時計回りに９０度回転すると、表示対象部分を左方向に第６所定量だけ移動させて表示状態領域に表示する。第６所定量は、例えば、表示対象部分の横幅と同じ値に設定される。なお、第５及び第６所定量の具体例は本例には限られない。また、基準姿勢の設定方法は上記と同じである。
【０３０３】
図６１及び６２は、周方向回転に応じた表示対象部分の表示制御の具体例を説明するための図である。上述の図５７の例において一番左の電子機器１Ａの表示状態領域７４０（言い換えれば表示領域７３０ａ）に、上述の図３７に示される領域α５が表示されているとする。つまり、一番左の電子機器１Ａの表示状態領域７４０が表示する表示対象部分が領域α５であるとする。この場合、図５７の例と同様に、電子機器１Ａが反時計回りの周方向回転を行うと、電子機器１Ａの表示状態領域７４０の表示は図６１のようになる。図６１での左から２番目の電子機器１Ａの表示状態領域７４０には、領域α５よりも、表示対象部分の横幅分だけ右側に位置する領域α４が表示される。図６１での左から３番目の電子機器１Ａの表示状態領域７４０には、領域α４よりも右側の領域α１が表示される。図６１での一番右の電子機器１Ａの表示状態領域７４０には、領域α１よりも右側の領域α３が表示される。
【０３０４】
また上述の図５８の例において、一番左の電子機器１Ａの表示状態領域７４０に図３７に示される領域α３が表示されているとする。この場合、図５８の例と同様に、電子機器１が時計回りの周方向回転を行うと、電子機器１Ａの表示状態領域７４０の表示は図６２のようになる。図６２での左から２番目の電子機器１Ａの表示状態領域７４０には、領域α３よりも、表示対象部分の横幅分だけ左側に位置する領域α２が表示される。図６２での左から３番目の電子機器１Ａの表示状態領域７４０には、領域α２よりも左側に位置する領域α１が表示される。図６２での一番右の電子機器１Ａの表示状態領域７４０には、領域α１よりも左側に位置する領域α４が表示される。
【０３０５】
このように、本例では、電子機器１Ａは、周方向回転に応じて表示対象部分を変更して表示状態領域７４０に表示する。これにより、ユーザは、電子機器１Ａを周方向に回転させることによって、表示状態領域７４０に表示される表示対象部分を電子機器１Ａに変更させることができる。
【０３０６】
なお、制御部２００は、電子機器１Ａが周方向に基準姿勢から反時計回りに９０度回転した場合には表示状態領域の表示を変更せずに、電子機器１Ａが周方向に基準姿勢から反時計回りに１８０度回転した場合に、表示対象部分を右方向に移動して表示状態領域に表示してもよい。同様に、制御部２００は、電子機器１Ａが周方向に基準姿勢から時計回りに９０度回転した場合には表示対象部分を変更せずに、電子機器１Ａが周方向に時計回りに１８０度回転した場合に、表示対象部分を左方向に移動して表示状態領域に表示してもよい。
【０３０７】
また、制御部２００は、一枚の画像の表示対象部分を対象表示領域７３０に表示している場合に、対象表示領域７３０に対して所定操作が行われると、表示対象部分を移動させて対象表示領域７３０に表示してもよい。つまり、制御部２００は、対象表示領域７３０に対する所定操作に応じて、対象表示領域７３０の表示をスクロールしてもよい。
【０３０８】
電子機器１Ａは、動作モードとして、上述の周方向回転に応じたページ表示制御を行う第４動作モードと、上述の周方向回転に応じたアプリ画面の表示制御を行う第５動作モードと、周方向回転に応じた表示対象部分の表示制御を行う第６動作モードとを有してもよい。この場合、電子機器１Ａは、例えば、第４〜第６動作モードのうちユーザから指示される動作モードで動作してもよい。ユーザは、例えば、情報表示領域７１１に対する操作を行うことによって、電子機器１Ａが動作すべき動作モードを指定することができる。
【０３０９】
＜円柱状の電子機器の他の表示制御例＞
以下に電子機器１Ａでの表示制御の他の例について説明する。
【０３１０】
＜表示制御の第１の他の例＞
本例では、電子機器１Ａの制御部２００は、複数の表示領域７３０のうち、一つの表示領域７３０のみを非表示状態に設定した場合には、当該一つの表示領域７３０に表示されていた画面に関する情報を、他の表示領域７３０に表示する。本例では、上述の第３非表示決定処理は実行されない。本例では、特に断らない限り、複数の表示領域７３０のうち、一つの表示領域７３０だけが非表示状態に設定されるものとする。本例では、電子機器１Ａにおいて、上述の周方向回転に応じた表示制御は実行されなくてもよい。
【０３１１】
制御部２００は、画面を表示するある表示領域７３０を上述の第２非表示決定処理により非表示状態にした場合、それに応じて、当該画面についての画面関連情報を、当該ある表示領域７３０とは別の表示領域７３０に表示する。例えば、制御部２００は、画面を表示するある表示領域７３０を非表示状態にすることに応じて、当該画面についての画面関連情報を、当該ある表示領域７３０及びそれに対向する表示領域７３０以外の２つの表示領域７３０に表示する。言い換えれば、制御部２００は、画面を表示するある表示領域７３０を非表示状態にすることに応じて、当該画面についての画面関連情報を、当該ある表示領域７３０を周方向で間に挟む２つの表示領域７３０に表示する。
【０３１２】
以後、非表示状態に設定された表示領域７３０を、非表示設定領域７３０と呼ぶことがある。また本例において、消去画面と言えば、画面を表示する表示領域７３０が非表示状態にされた場合に、当該表示領域７３０から消去される当該画面を意味する。また、非表示設定領域７３０を周方向で挟む２つの表示領域７３０のそれぞれを、非表示設定領域７３０に隣接する表示領域７３０と呼ぶことがある。
【０３１３】
例えば、制御部２００は、アプリ画面を表示する表示領域７３０ａを第２非表示決定処理により非表示状態にした場合、当該アプリ画面についての画面関連情報を表示領域７３０ｃ及び７３０ｄに表示する。このとき、表示領域７３０ａに対向する表示領域７３０ｂの表示は、どのような表示であってもよい。画面関連情報としては、例えば、上述の＜第１の他の例＞で説明した画面関連情報が採用される。
【０３１４】
また、制御部２００は、アプリ画面を表示する表示領域７３０ｃを第２非表示決定処理により非表示状態にした場合、当該アプリ画面についての画面関連情報を表示領域７３０ａ及び７３０ｂに表示する。このとき、表示領域７３０ｃに対向する表示領域７３０ｄの表示は、どのような表示であってもよい。
【０３１５】
非表示設定領域７３０に隣接する２つの表示領域７３０が表示する画面関連情報は、同じであってもよいし、異なっていてもよい。また、画面関連情報は、非表示設定領域７３０に隣接する２つの表示領域７３０のうちの一方だけに表示されてもよい。また、画面関連情報は、非表示設定領域７３０に対向する表示領域７３０に表示されてもよい。
【０３１６】
このように、本例では、制御部２００は、ある画面を表示する表示領域７３０を非表示状態にすることに応じて、当該ある画面に関する情報を別の表示領域７３０に表示する。これにより、ユーザは、ある表示領域７３０が非表示状態にされた場合であっても、別の表示領域７３０を見ることによって、当該ある表示領域７３０が表示した画面を特定することが可能となる。よって、電子機器１の利便性が向上する。
【０３１７】
制御部２００は、画面関連情報を表示する、非表示設定領域７３０に隣接する表示領域７３０に対して所定操作が行われると、非表示設定領域７３０に対向する表示領域７３０に消去画面を表示してもよい。この所定操作としては、例えば、タップ操作、ダブルタップ操作あるいはロングタップ操作が採用される。
【０３１８】
例えば、非表示設定領域７３０が表示領域７３０ｂである場合、画像関連情報を表示する表示領域７３０ｃ及び７３０ｄの一方に対して所定操作が行われると、制御部２００は、表示領域７３０ａに消去画面を表示する。また、非表示設定領域７３０が表示領域７３０ｃである場合、画像関連情報を表示する表示領域７３０ａ及び７３０ｂの一方に対して所定操作が行われると、制御部２００は、表示領域７３０ｄに消去画面を表示する。
【０３１９】
このように、画面関連情報を表示する表示領域７３０に対して所定操作が行われると、非表示設定領域７３０及び画面関連情報を表示する表示領域７３０とは別の表示領域７３０に消去画面が表示されることによって、ユーザは、画面関連情報を表示する表示領域７３０を操作することによって、消去画面を確認することができる。よって、電子機器１の利便性がさらに向上する。
【０３２０】
＜表示制御の第２の他の例＞
本例では、電子機器１Ａの制御部２００は、ある表示領域７３０を基準表示領域７３０とする。そして、制御部２００は、基準表示領域７３０がある画面を表示している場合、基準表示領域７３０とは別の表示領域７３０に対して所定操作が行われると、当該別の表示領域７３０に対応付けられた画面を、当該ある画面の替わりに基準表示領域７３０に表示することができる。本例では、画面切替操作と言えば、この所定操作を意味する。画面切替操作としては、例えば、タップ操作、ダブルタップ操作あるいはロングタップ操作などが採用される。本例では、電子機器１Ａにおいて、上述の第２非表示決定処理及び第３非表示決定処理は実行されなくてもよい。また本例では、電子機器１Ａにおいて、上述の周方向回転に応じた表示制御は実行されなくてもよい。
【０３２１】
制御部２００は、基本的には、表示領域７３０ａを基準表示領域７３０とする。ただし、上述の第２非表示決定処理あるいは第３非表示決定処理の実行により、複数の表示領域７３０のうち、一つの表示領域７３０だけが表示状態である場合、制御部２００は、当該一つの表示領域７３０が表示領域７３０ａであるか否かにかかわらず、当該一つの表示領域７３０を基準表示領域７３０とする。
【０３２２】
以後、基準表示領域７３０を基準表示領域７３０Ｚ１と呼ぶことがある。また、基準表示領域７３０Ｚ１を周方向に挟む２つの表示領域７３０のうち、電子機器１Ａの端面７０２側から見て、基準表示領域７３０に対して時計回りの方向に位置する表示領域７３０を右側表示領域７３０Ｚ２と呼び、基準表示領域７３０Ｚ１に対して反時計回りの方向に位置する表示領域７３０を左側表示領域７３０Ｚ３と呼ぶことがある。また、基準表示領域７３０Ｚ１に対向する表示領域７３０を対向表示領域７３０Ｚ４と呼ぶことがある。基準表示領域７３０Ｚ１が例えば表示領域７３０ａであるとすると、右側表示領域７３０Ｚ２、左側表示領域７３０Ｚ３及び対向表示領域７３０Ｚ４は、それぞれ、表示領域７３０ｃ、表示領域７３０ｄ及び表示領域７３０ｂとなる。
【０３２３】
図６３は、電子機器１Ａが複数のページから成るコンテンツを表示する場合の当該電子機器１Ａの動作を説明するための図である。図６３に示されるように、本例では、制御部２００は、基準表示領域７３０Ｚ１に表示されるページを基準ページとする。また制御部２００は、右側表示領域７３０Ｚ２に対して、基準ページよりも１つ次のページを割り当てる。また制御部２００は、左側表示領域７３０Ｚ３に対して、基準ページよりも１つ前のページを割り当てる。また制御部２００は、対向表示領域７３０Ｚ４に対して、基準ページよりも２つ次のページを割り当てる。
【０３２４】
制御部２００は、右側表示領域７３０Ｚ２に対する画面切替操作を特定すると、基準表示領域７３０Ｚ１に表示されている基準ページよりも１つ次のページを、基準ページの替わりに基準表示領域７３０Ｚ１に表示する。例えば、上述の図２１に示されるページ６００ａが基準表示領域７３０Ｚ１に表示されている場合、制御部２００は、右側表示領域７３０Ｚ２に対する画面切替操作を特定すると、ページ６００ａの替わりにページ６００ｂを基準表示領域７３０Ｚ１に表示する。そして、制御部２００は、右側表示領域７３０Ｚ２に対する画面切替操作を再度特定すると、ページ６００ｂの替わりにページ６００ｃを基準表示領域７３０Ｚ１に表示する。
【０３２５】
また制御部２００は、左側表示領域７３０Ｚ３に対する画面切替操作を特定すると、基準表示領域７３０Ｚ１に表示されている基準ページよりも１つ前のページを、基準ページの替わりに基準表示領域７３０Ｚ１に表示する。
【０３２６】
また制御部２００は、対向表示領域７３０Ｚ４に対する画面切替操作を特定すると、基準表示領域７３０Ｚ１に表示されている基準ページよりも２つ次のページを、基準ページの替わりに基準表示領域７３０Ｚ１に表示する。
【０３２７】
なお、制御部２００は、対向表示領域７３０Ｚ４に対して、基準ページよりも３つ以上次のページを割り当ててもよい。また、制御部２００は、対向表示領域７３０Ｚ４に対して、基準ページよりも複数ページ前のページを割り当ててもよい。
【０３２８】
以上のように制御部２００が動作することによって、ユーザは、右側表示領域７３０Ｚ２を操作することによって、電子機器１Ａに、基準表示領域７３０Ｚ１に表示されるページを後のページに変化させることができる。また、ユーザは、左側表示領域７３０Ｚ３を操作することによって、電子機器１Ａに、基準表示領域７３０Ｚ１に表示されるページを前のページに変化させることができる。また、ユーザは、対向表示領域７３０Ｚ４を操作することによって、電子機器１Ａに、基準表示領域７３０Ｚ１に表示されるページを複数ページ変化させることができる。
【０３２９】
なお、制御部２００は、あるアプリ画面を基準表示領域７３０Ｚ１に表示している場合、基準表示領域７３０Ｚ１とは別の表示領域７３０に対して画面切替所定操作が行われると、当該別の表示領域７３０に対応付けられたアプリ画面を、当該あるアプリ画面の替わりに基準表示領域７３０Ｚ１に表示してもよい。以下にこの場合の電子機器１Ａの動作の一例について説明する。
【０３３０】
制御部２００は、例えば、上述の図２８のように、複数種類のアプリ画面に対して順番を付与する。そして、制御部２００は、基準表示領域７３０Ｚ１に表示されるアプリ画面を基準アプリ画面とする。また、制御部２００は、右側表示領域７３０Ｚ２に対して、基準アプリ画面よりも１つ後の順番のアプリ画面を割り当て、左側表示領域７３０Ｚ３に対して、基準アプリ画面よりも１つ前の順番のアプリ画面を割り当てる。そして、制御部２００は、対向表示領域７３０Ｚ４に対して、基準アプリ画面よりも２つ後の順番のアプリ画面を割り当てる。
【０３３１】
制御部２００は、右側表示領域７３０Ｚ２に対する画面切替操作を特定すると、基準表示領域７３０Ｚ１に表示されている基準アプリ画面よりも１つ後の順番のアプリ画面を、基準アプリ画面の替わりに基準表示領域７３０Ｚ１に表示する。例えば、上述の図２８に示されるアプリ画面６１０ｂが基準表示領域７３０Ｚ１に表示されている場合、制御部２００は、右側表示領域７３０Ｚ２に対する画面切替操作を特定すると、アプリ画面６１０ｂの替わりにアプリ画面６１０ｃを基準表示領域７３０Ｚ１に表示する。
【０３３２】
また制御部２００は、左側表示領域７３０Ｚ３に対する画面切替操作を特定すると、基準表示領域７３０Ｚ１に表示されている基準アプリ画面よりも１つ前の順番のアプリ画面を、基準アプリ画面の替わりに基準表示領域７３０Ｚ１に表示する。例えば、アプリ画面６１０ｂが基準表示領域７３０Ｚ１に表示されている場合、制御部２００は、左側表示領域７３０Ｚ３に対する画面切替操作を特定すると、アプリ画面６１０ｂの替わりにアプリ画面６１０ａを基準表示領域７３０Ｚ１に表示する。
【０３３３】
また制御部２００は、対向表示領域７３０Ｚ４に対する画面切替操作を特定すると、基準表示領域７３０Ｚ１に表示されている基準アプリ画面よりも２つ後の順番のアプリ画面を、基準アプリ画面の替わりに基準表示領域７３０Ｚ１に表示する。例えば、アプリ画面６１０ａが基準表示領域７３０Ｚ１に表示されている場合、制御部２００は、対向表示領域７３０Ｚ４に対する画面切替操作を特定すると、アプリ画面６１０ａの替わりにアプリ画面６１０ｃを基準表示領域７３０Ｚ１に表示する。
【０３３４】
なお、制御部２００は、右側表示領域７３０Ｚ２に割り当てられた画面についての画面関連情報を右側表示領域７３０Ｚ２に表示してもよい。また、制御部２００は、左側表示領域７３０Ｚ３に割り当てられた画面についての画面関連情報を左側表示領域７３０Ｚ３に表示してもよい。表示領域７３０にページが割り当てられている場合には、当該ページについての画面関連情報には、当該ページの内容を示す情報が含まれてもよい。当該情報には、例えばページの要約が含まれてもよい。また、表示領域７３０にアプリ画面が割り当てられている場合には、当該アプリ画面についての画面関連情報には、当該アプリ画面に対応するアプリケーションを示すアイコンが含まれてもよい。また、アプリ画面についての画面関連情報には、当該アプリ画面の内容を示す文字が含まれてもよい。
【０３３５】
以上のように、本例では、制御部２００が、ある画面を基準表示領域７３０Ｚ１に表示している場合、基準表示領域７３０Ｚ１とは別の表示領域７３０に対して所定操作が行われると、当該別の表示領域７３０に対応付けられた画面を、当該ある画面の替わりに基準表示領域７３０Ｚ１に表示する。これにより、ユーザは、基準表示領域７３０Ｚ１に表示される画面を、基準表示領域７３０Ｚ１とは別の表示領域７３０を操作することによって、電子機器１に変更させることができる。よって、電子機器１の利便性が向上する。
【０３３６】
また、表示領域７３０に割り当てられた画面についての画面関連情報が当該表示領域７３０に表示される場合は、ユーザは、表示領域７３０に表示される画面関連情報を見ることによって、当該表示領域７３０に割り当てられた画面を容易に特定することが可能となる。つまり、ユーザは、基準表示領域７３０Ｚ１以外の表示領域７３０を操作した場合に、基準表示領域７３０Ｚ１に表示される画面を容易に特定することができる。その結果、電子機器１の利便性が向上する。
【０３３７】
上記の例では、情報表示領域７１１が周方向に４つの表示領域７３０に分割されているが、情報表示領域７１１は周方向に２つあるいは３つの表示領域７３０に分割されてもよいし、周方向に５つ以上の表示領域７３０に分割されてもよい。
【０３３８】
以上のように、電子機器１は詳細に説明されたが、上記した説明は、全ての局面において例示であって、この開示がそれに限定されるものではない。また、上述した各種の例は、相互に矛盾しない限り組み合わせて適用可能である。そして、例示されていない無数の例が、この開示の範囲から外れることなく想定され得るものと解される。
【符号の説明】
【０３３９】
１，１Ａ  電子機器
２０，７１１  情報表示領域
２１〜２４  表示面
２００  制御部
７３０，７３０ａ〜７３０ｄ，７３０Ｚ１〜７３０Ｚ４  表示領域
【図１】
2020035065.tif 000003
【図２】
2020035065.tif 000004
【図３】
2020035065.tif 000005
【図４】
2020035065.tif 000006
【図５】
2020035065.tif 000007
【図６】
2020035065.tif 000008
【図７】
2020035065.tif 000009
【図８】
2020035065.tif 000010
【図９】
2020035065.tif 000011
【図１０】
2020035065.tif 000012
【図１１】
2020035065.tif 000013
【図１２】
2020035065.tif 000014
【図１３】
2020035065.tif 000015
【図１４】
2020035065.tif 000016
【図１５】
2020035065.tif 000017
【図１６】
2020035065.tif 000018
【図１７】
2020035065.tif 000019
【図１８】
2020035065.tif 000020
【図１９】
2020035065.tif 000021
【図２０】
2020035065.tif 000022
【図２１】
2020035065.tif 000023
【図２２】
2020035065.tif 000024
【図２３】
2020035065.tif 000025
【図２４】
2020035065.tif 000026
【図２５】
2020035065.tif 000027
【図２６】
2020035065.tif 000028
【図２７】
2020035065.tif 000029
【図２８】
2020035065.tif 000030
【図２９】
2020035065.tif 000031
【図３０】
2020035065.tif 000032
【図３１】
2020035065.tif 000033
【図３２】
2020035065.tif 000034
【図３３】
2020035065.tif 000035
【図３４】
2020035065.tif 000036
【図３５】
2020035065.tif 000037
【図３６】
2020035065.tif 000038
【図３７】
2020035065.tif 000039
【図３８】
2020035065.tif 000040
【図３９】
2020035065.tif 000041
【図４０】
2020035065.tif 000042
【図４１】
2020035065.tif 000043
【図４２】
2020035065.tif 000044
【図４３】
2020035065.tif 000045
【図４４】
2020035065.tif 000046
【図４５】
2020035065.tif 000047
【図４６】
2020035065.tif 000048
【図４７】
2020035065.tif 000049
【図４８】
2020035065.tif 000050
【図４９】
2020035065.tif 000051
【図５０】
2020035065.tif 000052
【図５１】
2020035065.tif 000053
【図５２】
2020035065.tif 000054
【図５３】
2020035065.tif 000055
【図５４】
2020035065.tif 000056
【図５５】
2020035065.tif 000057
【図５６】
2020035065.tif 000058
【図５７】
2020035065.tif 000059
【図５８】
2020035065.tif 000060
【図５９】
2020035065.tif 000061
【図６０】
2020035065.tif 000062
【図６１】
2020035065.tif 000063
【図６２】
2020035065.tif 000064
【図６３】
2020035065.tif 000065